(57)【特許請求の範囲】
【請求項１】
基地局（ｅＮＢ）であって、
無認可スペクトルを用いる別のｅＮＢ又は別のシステムと競合することで、時間リソース及び周波数リソースのうち少なくとも１つを取得する競合ユニットと、
前記競合ユニットによる競合により取得された前記時間リソース及び前記周波数リソースのうち少なくとも１つに従って、前記時間リソース及び前記周波数リソースのうち少なくとも１つに関する情報を生成する生成ユニットと、
前記時間リソース及び前記周波数リソースのうち少なくとも１つに関する、前記生成ユニットにより生成される前記情報を、ブロードキャスト又はマルチキャスト・メッセージを用いてユーザ機器（ＵＥ）に送信し、これにより、前記ＵＥは、前記時間リソース及び前記周波数リソースのうち少なくとも１つに関する前記情報に従って前記ｅＮＢと通信する、送信ユニットと、
を備え、
前記ＵＥの前記送信ユニットは特に、
前記時間リソース及び前記周波数リソースのうち少なくとも１つに関する前記情報に従って構成情報を決定し、
前記ＵＥは、
予め設定されたＤＲＸパラメータ、並びに前記時間リソース及び前記周波数リソースのうち少なくとも１つに関する受信された前記情報に従って、ＤＲＸに対応するタイマの動作を決定することにより、前記時間リソース及び前記周波数リソースのうち少なくとも１つに関する前記情報に従って前記構成情報を決定し、
前記ＵＥの前記送信ユニットはさらに特に、
前記時間リソース及び前記周波数リソースのうち少なくとも１つに関する受信された前記情報内の前記時間リソース及び前記周波数リソースのうち少なくとも１つの終了時間に達した場合、又は、前記予め設定されたＤＲＸパラメータ、並びに前記時間リソース及び前記周波数リソースのうち少なくとも１つに関する受信された前記情報に従って決定されたＤＲＸ起動時間が終了した場合、前記ＤＲＸに対応する少なくとも１つのタイマを停止又は一時停止し、
前記ＤＲＸに対応する前記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
基地局。
【請求項２】
前記時間リソース及び前記周波数リソースのうち少なくとも１つに関する前記情報は少なくとも、前記時間リソース及び前記周波数リソースのうち少なくとも１つの開始時間及び終了時間、又は、前記基地局による競合により取得された前記時間リソース及び前記周波数リソースのうち少なくとも１つを含む、
請求項１に記載の基地局。
【請求項３】
前記時間リソース及び前記周波数リソースのうち少なくとも１つに関する前記情報は、以下のうち少なくとも１つをさらに含み、それらは、
前記ＵＥがアップリンク送信及びダウンリンク送信のうち少なくとも１つを実行し得る時間リソース及び周波数リソースのうち少なくとも１つ、及び、
前記時間リソース及び前記周波数リソースのうち少なくとも１つで前記ＵＥにより用いられる時分割複信構成（ＴＤＤ構成）に関する情報である、
請求項１又は２に記載の基地局。
【請求項４】
前記時間リソース及び前記周波数リソースのうち少なくとも１つで前記ＵＥにより用いられる前記ＴＤＤ構成に関する前記情報において、前記ＴＤＤ構成の開始サブフレームの開始位置は、前記ｅＮＢによる競合により取得された前記時間リソース及び前記周波数リソースのうち少なくとも１つの開始位置から開始する、
請求項３に記載の基地局。
【請求項５】
ユーザ機器（ＵＥ）であって、
無認可スペクトルにおいて基地局（ｅＮＢ）による競合により取得された時間リソース及び周波数リソースのうち少なくとも１つに関する、前記基地局により送信される情報を受信する受信ユニットと、
前記時間リソース及び前記周波数リソースのうち少なくとも１つに関する、前記受信ユニットにより受信される前記情報に従って、前記ｅＮＢと通信する送信ユニットと、
を備え、
前記送信ユニットは特に、
前記時間リソース及び前記周波数リソースのうち少なくとも１つに関する前記情報に従って構成情報を決定し、
前記ＵＥは、予め設定されたＤＲＸパラメータ、並びに前記時間リソース及び前記周波数リソースのうち少なくとも１つに関する受信された前記情報に従って、ＤＲＸに対応するタイマの動作を決定することにより、前記時間リソース及び前記周波数リソースのうち少なくとも１つに関する前記情報に従って前記構成情報を決定し、
前記送信ユニットはさらに特に、
前記時間リソース及び前記周波数リソースのうち少なくとも１つに関する受信された前記情報内の前記時間リソース及び前記周波数リソースのうち少なくとも１つの終了時間に達した場合、又は、前記予め設定されたＤＲＸパラメータ、並びに前記時間リソース及び前記周波数リソースのうち少なくとも１つに関する受信された前記情報に従って決定されたＤＲＸ起動時間が終了した場合、前記ＤＲＸに対応する少なくとも１つのタイマを停止又は一時停止し、
前記ＤＲＸに対応する前記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
ユーザ機器。
【請求項６】
前記時間リソース及び前記周波数リソースのうち少なくとも１つに関する前記情報は少なくとも、
前記時間リソース及び前記周波数リソースのうち少なくとも１つの開始時間及び終了時間、又は、
前記基地局による競合により取得された前記時間リソース及び前記周波数リソースのうち少なくとも１つを含む、
請求項５に記載のユーザ機器。
【請求項７】
前記ＵＥは以下の動作のうち少なくとも１つを実行して、前記時間リソース及び前記周波数リソースのうち少なくとも１つに関する前記情報に従って前記構成情報を決定し、
前記以下の動作とは、
受信された物理ダウンリンク制御チャネル（ＰＤＣＣＨ）スケジューリング信号の開始時点に従って前記時間リソース及び前記周波数リソースのうち少なくとも１つの有効時間を計算すること、又は、予め設定された時間に従って前記時間リソース及び前記周波数リソースのうち少なくとも１つの有効時間を計算すること、
前記時間リソース及び前記周波数リソースのうち少なくとも１つに従って、前記取得された時間リソース及び周波数リソースのうち少なくとも１つで主同期信号（ＰＳＳ）及び副同期信号（ＳＳＳ）のうち少なくとも１つを検出すること、及び、
予め設定された間欠受信（ＤＲＸ）パラメータ、並びに前記時間リソース及び前記周波数リソースのうち少なくとも１つに関する受信された前記情報に従って、ＤＲＸ起動時間の長さを決定することである、
請求項５に記載のユーザ機器。
【請求項８】
ユーザ機器（ＵＥ）であって、
無認可スペクトルにおいて基地局（ｅＮＢ）による競合により取得された時間リソース及び周波数リソースのうち少なくとも１つに関する、前記基地局により送信される情報を受信する受信ユニットと、
前記時間リソース及び前記周波数リソースのうち少なくとも１つに関する、前記受信ユニットにより受信される前記情報に従って、前記ｅＮＢと通信する送信ユニットと、
を備え、
前記送信ユニットは特に、
前記時間リソース及び前記周波数リソースのうち少なくとも１つに関する前記情報に従って構成情報を決定し、
前記ＵＥは以下の動作のうち少なくとも１つを実行して、前記時間リソース及び前記周波数リソースのうち少なくとも１つに関する前記情報に従って前記構成情報を決定し、
前記以下の動作とは、
受信された物理ダウンリンク制御チャネル（ＰＤＣＣＨ）スケジューリング信号の開始時点に従って前記時間リソース及び前記周波数リソースのうち少なくとも１つの有効時間を計算すること、又は、予め設定された時間に従って前記時間リソース及び前記周波数リソースのうち少なくとも１つの有効時間を計算すること、
前記時間リソース及び前記周波数リソースのうち少なくとも１つに従って、前記取得された時間リソース及び周波数リソースのうち少なくとも１つで主同期信号（ＰＳＳ）及び副同期信号（ＳＳＳ）のうち少なくとも１つを検出すること、
予め設定された間欠受信（ＤＲＸ）パラメータ、並びに前記時間リソース及び前記周波数リソースのうち少なくとも１つに関する受信された前記情報に従って、ＤＲＸ起動時間の長さを決定すること、及び、
前記予め設定されたＤＲＸパラメータ、並びに前記時間リソース及び前記周波数リソースのうち少なくとも１つに関する受信された前記情報に従って、ＤＲＸに対応するタイマの動作を決定することであり、
前記送信ユニットはさらに特に、
前記ＵＥが、競合により取得された新たな時間リソース及び新たな周波数リソースのうち少なくとも１つに関する、前記ｅＮＢにより通知される情報を受信する場合、停止又は一時停止したＤＲＸ関連のタイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された前記新たな時間リソース及び前記新たな周波数リソースのうち少なくとも１つの開始時間位置において、又は予め設定された時間内に、又は前記予め設定された間欠受信ＤＲＸパラメータ、並びに前記時間リソース及び前記周波数リソースのうち少なくとも１つに関する受信された前記情報に従って決定された前記ＤＲＸ起動時間の開始位置において、開始又は再開する、
ユーザ機器。
【請求項９】
前記ＰＳＳ及び前記ＳＳＳのうち少なくとも１つの送信タイミングの開始位置が、競合により取得された前記時間リソース及び前記周波数リソースのうち少なくとも１つの開始位置から開始する、
請求項７に記載のユーザ機器。
【請求項１０】
前記送信ユニットはさらに特に、
競合により取得された前記時間リソース及び前記周波数リソースのうち少なくとも１つの前記開始位置を、フレーム０及びサブフレーム０のうち少なくとも１つとして用いる、又は
前回の競合により取得されたリソース上の最後のフレーム番号及び最後のサブフレーム番号のうち少なくとも１つに続いて、競合により取得された前記時間リソース及び前記周波数リソースのうち少なくとも１つの前記開始位置のフレーム番号及びサブフレーム番号をカウントする、
請求項９に記載のユーザ機器。
【請求項１１】
前記受信ユニットはさらに特に、
無認可セルにおいてＰＤＣＣＨ信号を待ち受ける時間パターンを決定し、
前記決定された時間パターンに従って、前記無認可セルにおいて前記ｅＮＢにより送信されたＰＤＣＣＨ信号を待ち受け、
前記ＰＤＣＣＨ信号は、前記無認可スペクトルにおいて前記ｅＮＢによる競合により取得された前記時間リソース及び前記周波数リソースのうち少なくとも１つに関する前記情報を含む、
請求項５に記載のユーザ機器。
【請求項１２】
前記時間リソース及び前記周波数リソースのうち少なくとも１つに関する前記情報は以下のうち少なくとも１つをさらに含み、それらは、
前記ＵＥがアップリンク送信及びダウンリンク送信のうち少なくとも１つを実行し得る時間リソース及び周波数リソースのうち少なくとも１つ、及び、
前記時間リソース及び前記周波数リソースのうち少なくとも１つで前記ＵＥにより用いられる時分割複信構成（ＴＤＤ構成）に関する情報である、
請求項５に記載のユーザ機器。
【請求項１３】
前記時間リソース及び前記周波数リソースのうち少なくとも１つで前記ＵＥにより用いられる前記ＴＤＤ構成に関する前記情報において、前記ＴＤＤ構成の開始フレーム及び開始サブフレームのうち少なくとも１つの開始位置は、前記ｅＮＢによる競合により取得された前記時間リソース及び前記周波数リソースのうち少なくとも１つの開始位置から開始する、
請求項１２に記載のユーザ機器。
【請求項１４】
無認可スペクトルを用いて通信を実行するための方法であって、
基地局（ｅＮＢ）により、無認可スペクトルを用いる別のｅＮＢ又は別のシステムと競合することで、時間リソース及び周波数リソースのうち少なくとも１つを取得する段階と、
前記ｅＮＢにより、前記時間リソース及び前記周波数リソースのうち少なくとも１つに従って、前記時間リソース及び前記周波数リソースのうち少なくとも１つに関する情報を生成する段階と、
前記ｅＮＢにより、前記時間リソース及び前記周波数リソースのうち少なくとも１つに関する前記情報を、ブロードキャスト又はマルチキャスト・メッセージを用いてユーザ機器（ＵＥ）に送信し、これにより、前記ＵＥは、前記時間リソース及び前記周波数リソースのうち少なくとも１つに関する前記情報に従って前記ｅＮＢと通信する段階と、
を備え、
前記時間リソース及び前記周波数リソースのうち少なくとも１つに関する前記情報に従って、前記基地局により前記ＵＥと通信する前記段階は、
前記時間リソース及び前記周波数リソースのうち少なくとも１つに関する前記情報に従って、構成情報を前記ＵＥにより決定する段階をさらに備え、
前記ＵＥは、予め設定されたＤＲＸパラメータ、並びに前記時間リソース及び前記周波数リソースのうち少なくとも１つに関する受信された前記情報に従って、ＤＲＸに対応するタイマの動作を決定することにより、前記時間リソース及び前記周波数リソースのうち少なくとも１つに関する前記情報に従って前記構成情報を決定し、
前記予め設定されたＤＲＸパラメータ、並びに前記時間リソース及び前記周波数リソースのうち少なくとも１つに関する受信された前記情報に従って、ＤＲＸに対応するタイマの動作を決定する前記段階は、
前記時間リソース及び前記周波数リソースのうち少なくとも１つに関する受信された前記情報内の前記時間リソース及び前記周波数リソースのうち少なくとも１つの終了時間に達した場合、又は、前記予め設定された間欠受信ＤＲＸパラメータ、並びに前記時間リソース及び前記周波数リソースのうち少なくとも１つに関する受信された前記情報に従って決定されたＤＲＸ起動時間が終了した場合、前記ＤＲＸに対応する少なくとも１つのタイマを前記ＵＥにより停止又は一時停止する段階を特に有し、
前記ＤＲＸに対応する前記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
方法。
【請求項１５】
前記時間リソース及び前記周波数リソースのうち少なくとも１つに関する前記情報は少なくとも、
前記時間リソース及び前記周波数リソースのうち少なくとも１つの開始時間及び終了時間、又は、
前記基地局による競合により取得された前記時間リソース及び前記周波数リソースのうち少なくとも１つを含む、
請求項１４に記載の方法。
【請求項１６】
前記時間リソース及び前記周波数リソースのうち少なくとも１つに関する前記情報は、以下のうち少なくとも1つをさらに含み、それらは、
前記ＵＥがアップリンク送信及びダウンリンク送信のうち少なくとも１つを実行し得る時間リソース及び周波数リソースのうち少なくとも１つ、及び、
前記時間リソース及び前記周波数リソースのうち少なくとも１つで前記ＵＥにより用いられる時分割複信構成（ＴＤＤ構成）に関する情報である、
請求項１４又は１５に記載の方法。
【請求項１７】
前記時間リソース及び前記周波数リソースのうち少なくとも１つで前記ＵＥにより用いられる前記ＴＤＤ構成に関する前記情報において、前記ＴＤＤ構成の開始サブフレームの開始位置は、前記ｅＮＢによる競合により取得された前記時間リソース及び前記周波数リソースのうち少なくとも１つの開始位置から開始する、
請求項１６に記載の方法。
【請求項１８】
無認可スペクトルを用いて通信を実行するための方法であって、
無認可スペクトルにおいて基地局（ｅＮＢ）による競合により取得された時間リソース及び周波数リソースのうち少なくとも１つに関する、前記基地局により送信される情報をユーザ機器（ＵＥ）により受信する段階と、
前記時間リソース及び前記周波数リソースのうち少なくとも１つに関する前記情報に従って、前記ＵＥにより前記ｅＮＢと通信する段階と、
を備え、
前記時間リソース及び前記周波数リソースのうち少なくとも１つに関する前記情報に従って、前記ＵＥにより前記基地局と通信する前記段階は、
前記時間リソース及び前記周波数リソースのうち少なくとも１つに関する前記情報に従って、構成情報を前記ＵＥにより決定する段階をさらに備え、
前記ＵＥは、予め設定されたＤＲＸパラメータ、並びに前記時間リソース及び前記周波数リソースのうち少なくとも１つに関する受信された前記情報に従って、ＤＲＸに対応するタイマの動作を決定することにより、前記時間リソース及び前記周波数リソースのうち少なくとも１つに関する前記情報に従って前記構成情報を決定し、
前記予め設定されたＤＲＸパラメータ、並びに前記時間リソース及び前記周波数リソースのうち少なくとも１つに関する受信された前記情報に従って、ＤＲＸに対応するタイマの動作を決定する前記段階は、
前記時間リソース及び前記周波数リソースのうち少なくとも１つに関する受信された前記情報内の前記時間リソース及び前記周波数リソースのうち少なくとも１つの終了時間に達した場合、又は、前記予め設定された間欠受信ＤＲＸパラメータ、並びに前記時間リソース及び前記周波数リソースのうち少なくとも１つに関する受信された前記情報に従って決定されたＤＲＸ起動時間が終了した場合、前記ＤＲＸに対応する少なくとも１つのタイマを前記ＵＥにより停止又は一時停止する段階を特に有し、
前記ＤＲＸに対応する前記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
方法。
【請求項１９】
前記時間リソース及び前記周波数リソースのうち少なくとも１つに関する前記情報は少なくとも、
前記時間リソース及び前記周波数リソースのうち少なくとも１つの開始時間及び終了時間、又は、
前記基地局による競合により取得された前記時間リソース及び前記周波数リソースのうち少なくとも１つを含む、
請求項１８に記載の方法。
【請求項２０】
前記時間リソース及び前記周波数リソースのうち少なくとも１つに関する前記情報に従って、前記ＵＥにより前記基地局と通信する前記段階は、
前記時間リソース及び前記周波数リソースのうち少なくとも１つに関する前記情報に従って、構成情報を前記ＵＥにより決定する段階をさらに備え、
前記ＵＥは以下の動作のうち少なくとも１つを実行して、前記時間リソース及び前記周波数リソースのうち少なくとも１つに関する前記情報に従って前記構成情報を決定し、
前記以下の動作とは、
受信された物理ダウンリンク制御チャネル（ＰＤＣＣＨ）スケジューリング信号の開始時点に従って前記時間リソース及び前記周波数リソースのうち少なくとも１つの有効時間を計算すること、又は、予め設定された時間に従って前記時間リソース及び前記周波数リソースのうち少なくとも１つの有効時間を計算すること、
前記時間リソース及び前記周波数リソースのうち少なくとも１つに従って、前記取得された時間リソース及び周波数リソースのうち少なくとも１つで主同期信号（ＰＳＳ）及び副同期信号（ＳＳＳ）のうち少なくとも１つを検出すること、及び、
予め設定された間欠受信（ＤＲＸ）パラメータ、並びに前記時間リソース及び前記周波数リソースのうち少なくとも１つに関する受信された前記情報に従って、ＤＲＸ起動時間の長さを決定することである、
請求項１８に記載の方法。
【請求項２１】
無認可スペクトルを用いて通信を実行するための方法であって、
無認可スペクトルにおいて基地局（ｅＮＢ）による競合により取得された時間リソース及び周波数リソースのうち少なくとも１つに関する、前記基地局により送信される情報をユーザ機器（ＵＥ）により受信する段階と、
前記時間リソース及び前記周波数リソースのうち少なくとも１つに関する前記情報に従って、前記ＵＥにより前記ｅＮＢと通信する段階と、
を備え、
前記時間リソース及び前記周波数リソースのうち少なくとも１つに関する前記情報に従って、前記ＵＥにより前記基地局と通信する前記段階は、
前記時間リソース及び前記周波数リソースのうち少なくとも１つに関する前記情報に従って、構成情報を前記ＵＥにより決定する段階をさらに備え、
前記ＵＥは以下の動作のうち少なくとも１つを実行して、前記時間リソース及び前記周波数リソースのうち少なくとも１つに関する前記情報に従って前記構成情報を決定し、
前記以下の動作とは、
受信された物理ダウンリンク制御チャネル（ＰＤＣＣＨ）スケジューリング信号の開始時点に従って前記時間リソース及び前記周波数リソースのうち少なくとも１つの有効時間を計算すること、又は、予め設定された時間に従って前記時間リソース及び前記周波数リソースのうち少なくとも１つの有効時間を計算すること、
前記時間リソース及び前記周波数リソースのうち少なくとも１つに従って、前記取得された時間リソース及び周波数リソースのうち少なくとも１つで主同期信号（ＰＳＳ）及び副同期信号（ＳＳＳ）のうち少なくとも１つを検出すること、
予め設定された間欠受信（ＤＲＸ）パラメータ、並びに前記時間リソース及び前記周波数リソースのうち少なくとも１つに関する受信された前記情報に従って、ＤＲＸ起動時間の長さを決定すること、及び、
前記予め設定されたＤＲＸパラメータ、並びに前記時間リソース及び前記周波数リソースのうち少なくとも１つに関する受信された前記情報に従って、ＤＲＸに対応するタイマの動作を決定することであり、
前記予め設定されたＤＲＸパラメータ、並びに前記時間リソース及び前記周波数リソースのうち少なくとも１つに関する受信された前記情報に従って、ＤＲＸに対応するタイマの動作を決定する前記段階は、
前記ＵＥが、競合により取得された新たな時間リソース及び新たな周波数リソースのうち少なくとも１つに関する、前記ｅＮＢにより通知される情報を受信する場合、停止又は一時停止したＤＲＸ関連のタイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された前記新たな時間リソース及び前記新たな周波数リソースのうち少なくとも１つの開始時間位置において、又は予め設定された時間内に、又は前記予め設定されたＤＲＸパラメータ、並びに前記時間リソース及び前記周波数リソースのうち少なくとも１つに関する受信された前記情報に従って決定された前記ＤＲＸ起動時間の開始位置において、前記ＵＥにより開始又は再開する段階を特に有する、
方法。
【請求項２２】
前記時間リソース及び前記周波数リソースのうち少なくとも１つに従って、前記取得された時間リソース及び周波数リソースのうち少なくとも１つで、主同期信号（ＰＳＳ）及び副同期信号（ＳＳＳ）のうち少なくとも１つを検出する前記段階は、
前記ＰＳＳ及び前記ＳＳＳのうち少なくとも１つの送信タイミングの開始位置を、競合により取得された前記時間リソース及び前記周波数リソースのうち少なくとも１つの開始位置から開始する段階を有する、
請求項２０に記載の方法。
【請求項２３】
前記ＰＳＳ及び前記ＳＳＳのうち少なくとも１つの送信タイミングの開始位置を、競合により取得された前記時間リソース及び前記周波数リソースのうち少なくとも１つの開始位置から開始する前記段階は、
競合により取得された前記時間リソース及び前記周波数リソースのうち少なくとも１つの前記開始位置を、フレーム０及びサブフレーム０のうち少なくとも１つとして用いる段階、又は、
前回の競合により取得されたリソース上の最後のフレーム番号及び最後のサブフレーム番号のうち少なくとも１つに続いて、競合により取得された前記時間リソース及び前記周波数リソースのうち少なくとも１つの前記開始位置のフレーム番号及びサブフレーム番号をカウントする段階を有する、
請求項２２に記載の方法。
【請求項２４】
無認可スペクトルにおいて基地局ｅＮＢによる競合により取得された時間リソース及び周波数リソースのうち少なくとも１つに関する、前記基地局により送信される情報をユーザ機器ＵＥにより受信する前記段階は、
無認可セルにおいてＰＤＣＣＨ信号を待ち受ける時間パターンを決定する段階と、
前記決定された時間パターンに従って、前記無認可セルにおいて前記基地局ｅＮＢにより送信されたＰＤＣＣＨ信号を待ち受ける段階であって、前記ＰＤＣＣＨ信号は、前記無認可スペクトルにおいて前記ｅＮＢによる競合により取得された前記時間リソース及び前記周波数リソースのうち少なくとも１つに関する情報を含む、待ち受ける段階と、
をさらに有する、
請求項１８に記載の方法。
【請求項２５】
前記時間リソース及び前記周波数リソースのうち少なくとも１つに関する前記情報は以下のうち少なくとも１つをさらに含み、それらは、
前記ＵＥがアップリンク送信及びダウンリンク送信のうち少なくとも１つを実行し得る時間リソース及び周波数リソースのうち少なくとも１つ、及び、
前記時間リソース及び前記周波数リソースのうち少なくとも１つで前記ＵＥにより用いられる時分割複信構成（ＴＤＤ構成）に関する情報である、
請求項１８に記載の方法。
【請求項２６】
前記時間リソース及び前記周波数リソースのうち少なくとも１つで前記ＵＥにより用いられる前記ＴＤＤ構成に関する前記情報において、開始フレーム及び開始サブフレームのうち少なくとも１つの開始位置は、前記ｅＮＢによる競合により取得された前記時間リソース及び前記周波数リソースのうち少なくとも１つの開始位置から開始する、
請求項２５に記載の方法。
【発明の詳細な説明】
【技術分野】
【０００１】
本発明は、通信技術の分野に関し、特に、無認可スペクトル、デバイス、及びシステムを用いて通信を実行する方法に関する。
【背景技術】
【０００２】
既存のロング・ターム・エボリューションＬＴＥ（Ｌｏｎｇ  Ｔｅｒｍ  Ｅｖｏｌｕｔｉｏｎ）システムのスペクトル管理の間、スペクトル管理は、無線周波数を有効に用いる目的のために確立されたスペクトル割当計画方法である。既存のスペクトル管理は、認可スペクトルと、無認可スペクトルとを含む。認可スペクトルは、移動体事業者又は用いるモバイル技術（ＵＭＴＳ／ＬＴＥなど）のために認可されたスペクトルである。無認可スペクトルは、認可スペクトル、例えばＷｉＦｉに基づいて、異なる無線デバイスの間で共有され得る無認可の周波数リソーススペクトルである。
【０００３】
現在、無認可スペクトルの周波数帯利用率が比較的低く、ユーザがモバイルブロードバンドに対して要求をますます増やしているため、移動体事業者は、認可スペクトルでは、現在のところユーザの通信サービス要求を十分に満たすことができないという現状を是正するように、ユーザの要求を満たすべくより多くのスペクトルリソースを必要としている。しかしながら、無認可スペクトルの利用率が低いので、無認可スペクトルの使用が遅れており、ユーザ機器は無認可スペクトルを効率的に用いることができない。
【発明の概要】
【０００４】
本発明の実施形態は、ユーザ機器により無認可スペクトルの使用効率を改善させるために、無認可スペクトル、デバイス、及びシステムを用いて、通信を実行する方法を提供する。
【０００５】
上述の目的を実現すべく、以下の技術的解決法が、本発明の実施形態において用いられる。
【０００６】
第１態様に従って、以下のユニットを含む基地局が提供される。つまり、無認可スペクトルを用いる別のｅＮＢ又は別のシステムと競合することで、時間リソース及び／又は周波数リソースを取得するよう構成された競合ユニットである。競合ユニットによる競合により取得された時間リソース及び／又は周波数リソースに従って、時間リソース及び／又は周波数リソースに関する情報を生成するよう構成された生成ユニットである。そして、時間リソース及び／又は周波数リソースに関する、生成ユニットにより生成される情報を、ブロードキャスト又はマルチキャスト・メッセージを用いてユーザ機器ＵＥに送信するよう構成された送信ユニットであり、これにより、ユーザ機器ＵＥは、時間リソース及び／又は周波数リソースに関する情報に従って基地局ｅＮＢと通信する。
【０００７】
第１態様に関連して、第１の可能な実装態様では、基地局は以下のユニットをさらに含む。つまり、時間リソース及び／又は周波数リソースに関する情報が、ブロードキャスト又はマルチキャスト・メッセージを用いてユーザ機器ＵＥに送信される前に、無認可スペクトルのリソース上でｅＮＢによる競合により取得された時間リソース及び／又は周波数リソースを取得するためのパラメータを、ユーザ機器ＵＥに割り当てるよう構成された割り当てユニットであって、パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するのに用いられる、割り当てユニットである。
【０００８】
第１態様又は第１態様の第１の可能な実装態様に関連して、第２の可能な実装態様では、時間リソース及び／又は周波数リソースに関する情報は少なくとも、無認可スペクトルのリソース上の時間リソース及び／又は周波数リソースのパラメータを含む。
【０００９】
第１態様に関連して、第３の可能な実装態様では、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【００１０】
第１態様に関連して、第４の可能な実装態様では、送信ユニットは、さらに以下のことをするよう特に構成される。つまり、基地局ｅＮＢが競合により時間リソース及び／又は周波数リソースを取得しない場合、時間リソース及び／又は周波数リソースに関する情報を送信して、時間リソース及び／又は周波数リソースが競合により取得されないことをＵＥに通知する。
【００１１】
第１態様又は第１態様の第３の可能な実装態様に関連して、第５の可能な実装態様では、時間リソース及び／又は周波数リソースに関する情報は、さらに以下のものを含む。つまり、ＵＥがアップリンク送信及び／又はダウンリンク送信を実行し得る時間リソース及び／又は周波数リソース。及び／又は、時間リソース及び／又は周波数リソース上で、ＵＥにより用いられる時分割複信ＴＤＤ構成に関する情報である。
【００１２】
第１態様の第５の可能な実装態様に関連して、第６の可能な実装態様では、時間リソース及び／又は周波数リソース上でＵＥにより用いられる時分割複信ＴＤＤ構成に関する情報において、ＴＤＤ構成の開始サブフレームの開始位置が、基地局ｅＮＢによる競合により取得された時間リソース及び／又は周波数リソースの開始位置から開始する。
【００１３】
第１態様に関連して、第７の可能な実装態様では、リソースのブロードキャスト又はマルチキャスト・メッセージは、無線リソース制御ＲＲＣメッセージ、媒体アクセス制御・制御素子ＭＡＣ−ＣＥメッセージ、又は物理ダウンリンク制御チャネルＰＤＣＣＨ信号のうちの少なくとも１つである。
【００１４】
第１態様に関連して、第８の可能な実装態様では、送信ユニットはさらに以下のことをするよう特に構成される。つまり、無認可スペクトルの物理ダウンリンク制御チャネルＰＤＣＣＨ上で、無認可スペクトルを用いるＵＥに、競合により取得された時間リソース及び／又は周波数リソースに関する情報を通知する。又は、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳを用いて送信する。又は、競合により取得された時間リソース及び／又は周波数リソースに関する情報を、少なくとも１つのユーザ機器ＵＥに、物理ダウンリンク制御チャネルＰＤＣＣＨのユーザ機器ＵＥ探索空間ＵＳＳを用いて送信する。
【００１５】
第１態様の第８の可能な実装態様に関連して、第９の可能な実装態様では、送信ユニットはさらに以下のことをするよう特に構成される。つまり、無認可スペクトルの物理ダウンリンク制御チャネルＰＤＣＣＨ上で、競合により取得された時間リソース及び／又は周波数リソースに関する情報をＵＥに通知する前に、時間パターン構成メッセージをＵＥに送信する。時間パターン構成メッセージは、無認可セルにおいてＰＤＣＣＨ信号を待ち受けるための、ｅＮＢによりＵＥに割り当てられる時間パターンパラメータを含む。これにより、ＵＥは、時間パターンパラメータに従って、無認可セルにおいて基地局ｅＮＢにより送信されるＰＤＣＣＨ信号を待ち受ける時間パターンを決定する。
【００１６】
第１態様に関連して、第１０の可能な実装態様では、リソースのブロードキャスト又はマルチキャスト・メッセージは、競合により取得されたリソースの有効時間内で繰り返し送信される。
【００１７】
第２態様に従って、以下のユニットを含むユーザ機器が提供される。つまり、無認可スペクトルにおいて基地局ｅＮＢによる競合により取得された時間リソース及び／又は周波数リソースに関する、基地局により送信される情報を受信するよう構成された受信ユニットである。そして、時間リソース及び／又は周波数リソースに関する、受信ユニットにより受信される情報に従って、基地局ｅＮＢと通信するよう構成された送信ユニットである。
【００１８】
第２態様に関連して、第１の可能な実装態様では、受信ユニットは以下のことをするようさらに構成される。無認可スペクトルにおいて基地局ｅＮＢによる競合により取得された時間リソース及び／又は周波数リソースに関する、基地局により送信される情報を受信する前に、無認可スペクトルのリソース上で競合により取得された時間リソース及び／又は周波数リソースについての、基地局ｅＮＢにより割り当てられるパラメータを受信する。パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するようＵＥに命令するのに用いられる。
【００１９】
第２態様又は第２態様の第１の可能な実装態様に関連して、第２の可能な実装態様では、時間リソース及び／又は周波数リソースに関する情報は少なくとも、無認可スペクトルのリソース上の時間リソース及び／又は周波数リソースのパラメータを含む。
【００２０】
第２態様に関連して、第３の可能な実装態様では、時間リソース及び／又は周波数リソースに関する情報は少なくとも以下のものを含む。つまり、時間リソース及び／又は周波数リソースの開始時間及び終了時間、又は、基地局による競合により取得された時間リソース及び／又は周波数リソースである。
【００２１】
第２態様に関連して、第４の可能な実装態様では、受信ユニットはさらに以下のことをするよう特に構成される。つまり、基地局ｅＮＢが競合により時間リソース及び／又は周波数リソースを取得しない場合、時間リソース及び／又は周波数リソースに関する情報を受信して、基地局ｅＮＢが競合により時間リソース及び／又は周波数リソースを取得しないことを認識する。
【００２２】
第２態様に関連して、第５の可能な実装態様では、送信ユニットは以下のことをするよう特に構成される。つまり、時間リソース及び／又は周波数リソースに関する情報に従って構成情報を決定する。ＵＥは少なくとも以下の動作を実行し、時間リソース及び／又は周波数リソースに関する情報に従って構成情報を決定する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。及び／又は、予め設定された間欠受信ＤＲＸパラメータ、並びに時間リソース及び／又は周波数リソースに関する受信された情報に従って、ＤＲＸ起動時間の長さを決定する。及び／又は、予め設定された間欠受信ＤＲＸパラメータ、並びに時間リソース及び／又は周波数リソースに関する受信された情報に従って、ＤＲＸに対応するタイマの動作を決定する。
【００２３】
第２態様の第５の可能な実装態様に関連して、第６の可能な実装態様では、送信ユニットはさらに以下のことをするよう特に構成される。つまり、時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＤＲＸに対応する少なくとも１つのタイマを停止又は一時停止する。ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む。
【００２４】
第２態様の第５の可能な実装態様、又は第２態様の第６の可能な実装態様に関連して、第７の可能な実装態様では、送信ユニットはさらに以下のことをするよう特に構成される。つまり、競合により取得された新たな時間リソース及び／又は新たな周波数リソースに関する、ｅＮＢにより通知される情報をＵＥが受信する場合、停止又は一時停止したＤＲＸ関連タイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された新たな時間リソース及び／又は新たな周波数リソースの開始時間位置において、あるいは予め設定された時間内に、あるいは予め設定された間欠受信ＤＲＸパラメータ、並びに時間リソース及び／又は周波数リソースに関する受信された情報に従って決定されたＤＲＸ起動時間の開始位置において、開始又は再開する。
【００２５】
第２態様の第５の可能な実装態様に関連して、第８の可能な実装態様では、ＰＳＳ及び／又はＳＳＳの送信タイミングの開始位置が、競合により取得された時間リソース及び／又は周波数リソースの開始位置から開始する。
【００２６】
第２態様の第８の可能な実装態様に関連して、第９の可能な実装態様では、送信ユニットはさらに以下のことをするよう特に構成される。つまり、競合により取得された時間リソース及び／又は周波数リソースの開始位置をフレーム０及び／又はサブフレーム０として用いる。又は、前回の競合により取得されたリソース上の最後のフレーム番号及び／又は最後のサブフレーム番号に続いて、競合により取得された時間リソース及び／又は周波数リソースの開始位置のフレーム番号及びサブフレーム番号をカウントする。
【００２７】
第２態様に関連して、第１０の可能な実装態様では、送信ユニットはさらに以下のことをするよう特に構成される。つまり、時間リソース及び／又は周波数リソースに関する情報に従って、以下の複数の原則のうちの少なくとも１つを観察することで、データを送信する。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【００２８】
第２態様に関連して、第１１の可能な実装態様では、受信ユニットは以下のことをするようさらに構成される。つまり、基地局ｅＮＢにより送信された対応する物理ダウンリンク制御チャネルＰＤＣＣＨ信号を受信し、ＰＤＣＣＨ信号は、基地局ｅＮＢによる競合により取得された時間リソース及び／又は周波数リソースに関する情報を取得するようＵＥに命令するのに用いられる。そして、ＰＤＣＣＨ信号に従って、対応する時間リソース及び／又は周波数リソースに関する情報を取得する。
【００２９】
第２態様に関連して、第１２の可能な実装態様では、送信ユニットはさらに以下のことをするよう特に構成される。つまり、無認可セルにおいてＰＤＣＣＨチャネル上で待ち受ける時間パターンを決定する。そして、決定された時間パターンに従って、無認可セルにおいて基地局ｅＮＢにより送信されるＰＤＣＣＨ信号を待ち受け、ＰＤＣＣＨ信号は、無認可スペクトルにおいてｅＮＢによる競合により取得された時間リソース及び／又は周波数リソースに関する情報を含む。
【００３０】
第２態様の第１２の可能な実装態様に関連して、第１３の可能な実装態様では、送信ユニットはさらに以下のことをするよう特に構成される。つまり、システムに予め設定された時間パターンパラメータ値に従って、無認可セルにおいてＰＤＣＣＨ信号を待ち受ける時間を決定する。又は、ｅＮＢにより送信された時間パターンパラメータ構成メッセージを受信し、時間パターン構成メッセージは、無認可セルにおいてＰＤＣＣＨ信号を待ち受けるための、ｅＮＢによりＵＥに割り当てられる時間パターンパラメータを含む。
【００３１】
第２態様に関連して、第１４の可能な実装態様では、時間リソース及び／又は周波数リソースに関する情報は少なくとも以下のものをさらに含む。つまり、ＵＥがアップリンク送信及び／又はダウンリンク送信を実行し得る時間リソース及び／又は周波数リソース。及び／又は、時間リソース及び／又は周波数リソース上でＵＥにより用いられる時分割複信ＴＤＤ構成に関する情報である。
【００３２】
第２態様の第１４の可能な実装態様に関連して、第１５の可能な実装態様では、時間リソース及び／又は周波数リソース上でＵＥにより用いられる時分割複信ＴＤＤ構成に関する情報において、ＴＤＤ構成の開始フレーム及び／又は開始サブフレームの開始位置が、基地局ｅＮＢによる競合により取得された時間リソース及び／又は周波数リソースの開始位置から開始する。
【００３３】
第３態様に従って基地局が提供され、基地局は、データバスを用いて接続されるプロセッサ及びメモリと、プロセッサ及びメモリに別々に接続される少なくとも１つの通信インタフェースとを含む。プロセッサは、無認可スペクトルを用いる別のｅＮＢ又は別のシステムと競合することで、時間リソース及び／又は周波数リソースを取得するよう構成される。プロセッサは、時間リソース及び／又は周波数リソースに関する情報を、時間リソース及び／又は周波数リソースに従って生成するようさらに構成される。プロセッサは、時間リソース及び／又は周波数リソースに関する情報を、ブロードキャスト又はマルチキャスト・メッセージ、及び少なくとも１つの通信インタフェースを用いてユーザ機器ＵＥに送信するようさらに構成され、これにより、ユーザ機器ＵＥは、時間リソース及び／又は周波数リソースに関する情報に従って基地局ｅＮＢと通信する。
【００３４】
第３態様に関連して、第１の可能な実装態様では、プロセッサは以下のことをするようさらに構成される。つまり、時間リソース及び／又は周波数リソースに関する情報が、ブロードキャスト又はマルチキャスト・メッセージ、及び少なくとも１つの通信インタフェースを用いてユーザ機器ＵＥに送信される前に、無認可スペクトルのリソース上でｅＮＢによる競合により取得された時間リソース及び／又は周波数リソースを取得するためのパラメータをユーザ機器ＵＥに割り当てる。パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するのに用いられる。
【００３５】
第３態様又は第３態様の第１の可能な実装態様に関連して、第２の可能な実装態様では、時間リソース及び／又は周波数リソースに関する情報は少なくとも、無認可スペクトルのリソース上の時間リソース及び／又は周波数リソースのパラメータを含む。
【００３６】
第３態様に関連して、第３の可能な実装態様では、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【００３７】
第３態様に関連して、第４の可能な実装態様では、プロセッサは以下のことをするようさらに構成される。つまり、基地局ｅＮＢが、競合により時間リソース及び／又は周波数リソースを取得しない場合、少なくとも１つの通信インタフェースを用いて時間リソース及び／又は周波数リソースに関する情報を送信し、時間リソース及び／又は周波数リソースが競合により取得されないことをＵＥに通知する。
【００３８】
第３態様又は第３態様の第３の可能な実装態様に関連して、第５の可能な実装態様では、時間リソース及び／又は周波数リソースに関する情報は、以下のものをさらに含む。つまり、ＵＥがアップリンク送信及び／又はダウンリンク送信を実行し得る時間リソース及び／又は周波数リソース。及び／又は、時間リソース及び／又は周波数リソース上で、ＵＥにより用いられる時分割複信ＴＤＤ構成に関する情報である。
【００３９】
第３態様の第５の可能な実装態様に関連して、第６の可能な実装態様では、時間リソース及び／又は周波数リソース上でＵＥにより用いられる時分割複信ＴＤＤ構成に関する情報において、ＴＤＤ構成の開始サブフレームの開始位置が、基地局ｅＮＢによる競合により取得された時間リソース及び／又は周波数リソースの開始位置から開始する。
【００４０】
第３態様に関連して、第７の可能な実装態様では、リソースのブロードキャスト又はマルチキャスト・メッセージは、無線リソース制御ＲＲＣメッセージ、媒体アクセス制御・制御素子ＭＡＣ−ＣＥメッセージ、又は物理ダウンリンク制御チャネルＰＤＣＣＨ信号のうちの少なくとも１つである。
【００４１】
第３態様に関連して、第８の可能な実装態様では、プロセッサはさらに以下のことをするよう特に構成される。つまり、無認可スペクトルの物理ダウンリンク制御チャネルＰＤＣＣＨ上で、無認可スペクトルを用いるＵＥに、競合により取得された時間リソース及び／又は周波数リソースに関する情報を通知する。又は、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳ、及び少なくとも１つの通信インタフェースを用いて送信する。又は、競合により取得された時間リソース及び／又は周波数リソースに関する情報を、少なくとも１つのユーザ機器ＵＥに、物理ダウンリンク制御チャネルＰＤＣＣＨのユーザ機器ＵＥ探索空間ＵＳＳ、及び少なくとも１つの通信インタフェースを用いて送信する。
【００４２】
第３態様の第８の可能な実装態様に関連して、第９の可能な実装態様では、プロセッサはさらに以下のことをするよう特に構成される。つまり、無認可スペクトルの物理ダウンリンク制御チャネルＰＤＣＣＨ上で少なくとも１つの通信インタフェースを用いて、競合により取得された時間リソース及び／又は周波数リソースに関する情報をＵＥに通知する前に、時間パターン構成メッセージをＵＥに送信する。時間パターン構成メッセージは、無認可セルにおいてＰＤＣＣＨ信号を待ち受けるための、ｅＮＢによりＵＥに割り当てられる時間パターンパラメータを含む。これにより、ＵＥは、時間パターンパラメータに従って、無認可セルにおいて基地局ｅＮＢにより送信されるＰＤＣＣＨ信号を待ち受ける時間パターンを決定する。
【００４３】
第３態様に関連して、第１０の可能な実装態様では、リソースのブロードキャスト又はマルチキャスト・メッセージは、競合により取得されたリソースの有効時間内で繰り返し送信される。
【００４４】
第４態様に従ってユーザ機器が提供され、ユーザ機器は、データバスを用いて接続されるプロセッサ及びメモリと、プロセッサ及びメモリに別々に接続される少なくとも１つの通信インタフェースとを含む。プロセッサは、少なくとも１つの通信インタフェースを用いて、無認可スペクトルにおいて基地局ｅＮＢによる競合により取得された時間リソース及び／又は周波数リソースに関する、基地局により送信される情報を受信するよう構成される。プロセッサは、時間リソース及び／又は周波数リソースに関する情報に従って、少なくとも１つの通信インタフェースを用いて、基地局ｅＮＢと通信するようさらに構成される。
【００４５】
第４態様に関連して、第１の可能な実装態様では、プロセッサは以下のことをするようさらに構成される。つまり、少なくとも１つの通信インタフェースを用いて、無認可スペクトルにおいて基地局ｅＮＢによる競合により取得された時間リソース及び／又は周波数リソースに関する、基地局により送信される情報を受信する前に、少なくとも１つの通信インタフェースを用いて、無認可スペクトルのリソース上で競合により取得された時間リソース及び／又は周波数リソースについての、基地局ｅＮＢにより割り当てられるパラメータを受信する。パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するようＵＥに命令するのに用いられる。
【００４６】
第４態様又は第４態様の第１の可能な実装態様に関連して、第２の可能な実装態様では、時間リソース及び／又は周波数リソースに関する情報は少なくとも、無認可スペクトルのリソース上の時間リソース及び／又は周波数リソースのパラメータを含む。
【００４７】
第４態様に関連して、第３の可能な実装態様では、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【００４８】
第４態様に関連して、第４の可能な実装態様では、プロセッサは以下のことをするようさらに構成される。つまり、基地局ｅＮＢが、競合により時間リソース及び／又は周波数リソースを取得しない場合、少なくとも１つの通信インタフェースを用いて時間リソース及び／又は周波数リソースに関する情報を受信し、基地局ｅＮＢが時間リソース及び／又は周波数リソースを競合により取得しないことを認識する。
【００４９】
第４態様に関連して、第５の可能な実装態様では、プロセッサは以下のことをするよう特に構成される。つまり、時間リソース及び／又は周波数リソースに関する情報に従って構成情報を決定する。ＵＥは少なくとも以下の動作を実行し、時間リソース及び／又は周波数リソースに関する情報に従って構成情報を決定する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。及び／又は、予め設定された間欠受信ＤＲＸパラメータ、並びに時間リソース及び／又は周波数リソースに関する受信された情報に従って、ＤＲＸ起動時間の長さを決定する。及び／又は、予め設定された間欠受信ＤＲＸパラメータ、並びに時間リソース及び／又は周波数リソースに関する受信された情報に従って、ＤＲＸに対応するタイマの動作を決定する。
【００５０】
第４態様の第５の可能な実装態様に関連して、第６の可能な実装態様では、プロセッサはさらに以下のことをするよう特に構成される。つまり、時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＤＲＸに対応する少なくとも１つのタイマを停止又は一時停止する。ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む。
【００５１】
第４態様の第５の可能な実装態様、又は第４態様の第６の可能な実装態様に関連して、第７の可能な実装態様では、プロセッサはさらに以下のことをするよう特に構成される。つまり、競合により取得された新たな時間リソース及び／又は新たな周波数リソースに関する、ｅＮＢにより通知される情報をＵＥが受信する場合、停止又は一時停止したＤＲＸ関連タイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された新たな時間リソース及び／又は新たな周波数リソースの開始時間位置において、あるいは予め設定された時間内に、あるいは予め設定された間欠受信ＤＲＸパラメータ、並びに時間リソース及び／又は周波数リソースに関する受信された情報に従って決定されたＤＲＸ起動時間の開始位置において、開始又は再開する。
【００５２】
第４態様の第５の可能な実装態様に関連して、第８の可能な実装態様では、ＰＳＳ及び／又はＳＳＳの送信タイミングの開始位置が、競合により取得された時間リソース及び／又は周波数リソースの開始位置から開始する。
【００５３】
第４態様の第８の可能な実装態様に関連して、第９の可能な実装態様では、プロセッサはさらに以下のことをするよう特に構成される。つまり、競合により取得された時間リソース及び／又は周波数リソースの開始位置をフレーム０及び／又はサブフレーム０として用いる。又は、前回の競合により取得されたリソース上の最後のフレーム番号及び／又は最後のサブフレーム番号に続いて、競合により取得された時間リソース及び／又は周波数リソースの開始位置のフレーム番号及びサブフレーム番号をカウントする。
【００５４】
第４態様に関連して、第１０の可能な実装態様では、プロセッサはさらに以下のことをするよう特に構成される。つまり、時間リソース及び／又は周波数リソースに関する情報に従って、以下の複数の原則のうちの少なくとも１つを観察することで、データを送信する。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【００５５】
第４態様に関連して、第１１の可能な実装態様では、プロセッサはさらに以下のことをするよう特に構成される。つまり、少なくとも１つの通信インタフェースを用いて、基地局ｅＮＢにより送信された対応する物理ダウンリンク制御チャネルＰＤＣＣＨ信号を受信し、ＰＤＣＣＨ信号は、基地局ｅＮＢによる競合により取得された時間リソース及び／又は周波数リソースに関する情報を取得するようＵＥに命令するのに用いられる。そして、ＰＤＣＣＨ信号に従って、対応する時間リソース及び／又は周波数リソースに関する情報を取得する。
【００５６】
第４態様に関連して、第１２の可能な実装態様では、プロセッサはさらに以下のことをするよう特に構成される。つまり、無認可セルにおいてＰＤＣＣＨチャネル上で待ち受ける時間パターンを決定する。そして、決定された時間パターンに従って、無認可セルにおいて基地局ｅＮＢにより送信されるＰＤＣＣＨ信号を待ち受け、ＰＤＣＣＨ信号は、無認可スペクトルにおいてｅＮＢによる競合により取得された時間リソース及び／又は周波数リソースに関する情報を含む。
【００５７】
第４態様の第１２の可能な実装態様に関連して、第１３の可能な実装態様では、プロセッサはさらに以下のことをするよう特に構成される。つまり、システムに予め設定された時間パターンパラメータ値に従って、無認可セルにおいてＰＤＣＣＨ信号を待ち受ける時間を決定する。又は、少なくとも１つの通信インタフェースを用いて、ｅＮＢにより送信された時間パターンパラメータ構成メッセージを受信し、時間パターン構成メッセージは、無認可セルにおいてＰＤＣＣＨ信号を待ち受けるための、ｅＮＢによりＵＥに割り当てられる時間パターンパラメータを含む。
【００５８】
第４態様に関連して、第１４の可能な実装態様では、時間リソース及び／又は周波数リソースに関する情報は少なくとも以下のものをさらに含む。つまり、ＵＥがアップリンク送信及び／又はダウンリンク送信を実行する時間リソース及び／又は周波数リソース。及び／又は、時間リソース及び／又は周波数リソース上でＵＥにより用いられる時分割複信ＴＤＤ構成である。
【００５９】
第４態様の第１４の可能な実装態様に関連して、第１５の可能な実装態様では、時間リソース及び／又は周波数リソース上でＵＥにより用いられる時分割複信ＴＤＤ構成に関する情報において、ＴＤＤ構成の開始フレーム及び／又は開始サブフレームの開始位置が、基地局ｅＮＢによる競合により取得された時間リソース及び／又は周波数リソースの開始位置から開始する。
【００６０】
第５態様に従って、無認可スペクトルを用いて通信を実行する方法が提供され、方法は以下の段階を含む。つまり、無認可スペクトルを用いる別のｅＮＢ又は別のシステムと競合することで、時間リソース及び／又は周波数リソースを、基地局ｅＮＢにより取得する段階。基地局ｅＮＢにより、時間リソース及び／又は周波数リソースに関する情報を、時間リソース及び／又は周波数リソースに従って生成する段階。そして、基地局ｅＮＢにより、時間リソース及び／又は周波数リソースに関する情報を、ブロードキャスト又はマルチキャスト・メッセージを用いてユーザ機器ＵＥに送信し、これにより、ユーザ機器ＵＥは、時間リソース及び／又は周波数リソースに関する情報に従って基地局ｅＮＢと通信する段階である。
【００６１】
第５態様に関連して、第１の可能な実装態様において、基地局ｅＮＢにより、時間リソース及び／又は周波数リソースに関する情報を、時間リソース及び／又は周波数リソースに従って生成する前に、方法は以下の段階をさらに含む。基地局ｅＮＢによりユーザ機器ＵＥに、無認可スペクトルのリソース上でｅＮＢによる競合により取得された時間リソース及び／又は周波数リソースを取得するためのパラメータを割り当てる段階であり、パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するのに用いられる。
【００６２】
第５態様又は第５態様の第１の可能な実装態様に関連して、第２の可能な実装態様では、時間リソース及び／又は周波数リソースに関する情報は少なくとも、無認可スペクトルのリソース上の時間リソース及び／又は周波数リソースのパラメータを含む。
【００６３】
第５態様に関連して、第３の可能な実装態様では、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【００６４】
第５態様に関連して、第４の可能な実装態様では、基地局ｅＮＢにより、無認可スペクトルを用いる別のｅＮＢ又は別のシステムと競合することで、時間リソース及び／又は周波数リソースを取得する段階は、以下の段階をさらに含む。つまり、基地局ｅＮＢが競合により時間リソース及び／又は周波数リソースを取得しない場合、基地局ｅＮＢにより、時間リソース及び／又は周波数リソースに関する情報を送信して、時間リソース及び／又は周波数リソースが競合により取得されないことをＵＥに通知する段階である。
【００６５】
第５態様又は第５態様の第３の可能な実装態様に関連して、第５の可能な実装態様では、時間リソース及び／又は周波数リソースに関する情報は、さらに以下のものを含む。つまり、時間リソース及び／又は周波数リソースに関する情報であって、これを用いて、ＵＥはアップリンク送信及び／又はダウンリンク送信を実行し得る。及び／又は、時間リソース及び／又は周波数リソース上で、ＵＥにより用いられる時分割複信ＴＤＤ構成に関する情報である。
【００６６】
第５態様の第５の可能な実装態様に関連して、第６の可能な実装態様では、時間リソース及び／又は周波数リソース上でＵＥにより用いられる時分割複信ＴＤＤ構成に関する情報において、ＴＤＤ構成の開始サブフレームの開始位置が、基地局ｅＮＢによる競合により取得された時間リソース及び／又は周波数リソースの開始位置から開始する。
【００６７】
第５態様に関連して、第７の可能な実装態様では、リソースのブロードキャスト又はマルチキャスト・メッセージ・メッセージは、少なくとも無線リソース制御ＲＲＣメッセージ、媒体アクセス制御・制御素子ＭＡＣ−ＣＥメッセージ、又は物理ダウンリンク制御チャネルＰＤＣＣＨ信号である。
【００６８】
第５態様に関連して、第８の可能な実装態様では、基地局ｅＮＢにより、時間リソース及び／又は周波数リソースに関する情報を、ブロードキャスト又はマルチキャスト・メッセージを用いてユーザ機器ＵＥに送信する段階は、以下の段階を含む。つまり、無認可スペクトルの物理ダウンリンク制御チャネルＰＤＣＣＨ上の基地局ｅＮＢにより、無認可スペクトルを用いるＵＥに、競合により取得された時間リソース及び／又は周波数リソースに関する情報を通知する。又は、基地局ｅＮＢにより、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳを用いて送信する段階。又は、基地局ｅＮＢにより、競合により取得された時間リソース及び／又は周波数リソースに関する情報を、少なくとも１つのユーザ機器ＵＥに、物理ダウンリンク制御チャネルＰＤＣＣＨのユーザ機器ＵＥ探索空間ＵＳＳを用いて送信する段階である。
【００６９】
第５態様の第８の可能な実装態様に関連して、第９の可能な実装態様では、無認可スペクトルの物理ダウンリンク制御チャネルＰＤＣＣＨ上の基地局ｅＮＢにより、競合により取得された時間リソース及び／又は周波数リソースに関する情報をＵＥに通知する段階の前に、方法は以下の段階をさらに含む。時間パターン構成メッセージをＵＥに送信する段階であって、時間パターン構成メッセージは、無認可セルにおいてＰＤＣＣＨ信号を待ち受けるための、ｅＮＢによりＵＥに割り当てられる時間パターンパラメータを含む。これにより、ＵＥは、時間パターンパラメータに従って、無認可セルにおいて基地局ｅＮＢにより送信されるＰＤＣＣＨ信号を待ち受ける時間パターンを決定する。
【００７０】
第５態様に関連して、第１０の可能な実装態様では、リソースのブロードキャスト又はマルチキャスト・メッセージは、競合により取得されたリソースの有効時間内で繰り返し送信される。
【００７１】
第６態様に従って、無認可スペクトルを用いて通信を実行する方法が提供され、方法は以下の段階を含む。つまり、無認可スペクトルにおいて基地局ｅＮＢによる競合により取得された時間リソース及び／又は周波数リソースに関する、基地局により送信される情報をユーザ機器ＵＥにより受信する段階。そして、時間リソース及び／又は周波数リソースに関する情報に従って、ＵＥにより基地局ｅＮＢと通信する段階である。
【００７２】
第６態様に関連して、第１の可能な実装態様では、無認可スペクトルにおいて基地局ｅＮＢによる競合により取得された時間リソース及び／又は周波数リソースに関する、基地局により送信される情報を、ユーザ機器ＵＥにより受信する前に、方法は以下の段階をさらに含む。つまり、無認可スペクトルのリソース上で競合により取得された時間リソース及び／又は周波数リソースについての、基地局ｅＮＢにより割り当てられるパラメータをＵＥにより受信する段階であり、パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するようＵＥに命令するのに用いられる。
【００７３】
第６態様又は第６態様の第１の可能な実装態様に関連して、第２の可能な実装態様では、時間リソース及び／又は周波数リソースに関する情報は少なくとも、無認可スペクトルのリソース上の時間リソース及び／又は周波数リソースのパラメータを含む。
【００７４】
第６態様に関連して、第３の可能な実装態様では、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【００７５】
第６態様に関連して、第４の可能な実装態様では、無認可スペクトルにおいて基地局ｅＮＢによる競合により取得された時間リソース及び／又は周波数リソースに関する、基地局により送信される情報を、ユーザ機器ＵＥにより受信する段階は、以下の段階をさらに含む。つまり、基地局ｅＮＢが競合により時間リソース及び／又は周波数リソースを取得しない場合、ＵＥにより、時間リソース及び／又は周波数リソースに関する情報を受信して、基地局ｅＮＢが競合により時間リソース及び／又は周波数リソースを取得しないことを認識する段階である。
【００７６】
第６態様に関連して、第５の可能な実装態様では、時間リソース及び／又は周波数リソースに関する情報に従ってＵＥにより基地局と通信する段階は、以下の段階をさらに含む。つまり、ＵＥにより、時間リソース及び／又は周波数リソースに関する情報に従って構成情報を決定する段階であり、ＵＥは、少なくとも以下の動作を実行し、時間リソース及び／又は周波数リソースに関する情報に従って構成情報を決定する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。及び／又は、予め設定された間欠受信ＤＲＸパラメータ、並びに時間リソース及び／又は周波数リソースに関する受信された情報に従って、ＤＲＸ起動時間の長さを決定する。及び／又は、予め設定された間欠受信ＤＲＸパラメータ、並びに時間リソース及び／又は周波数リソースに関する受信された情報に従って、ＤＲＸに対応するタイマの動作を決定する。
【００７７】
第６態様の第５の可能な実装態様に関連して、第６の可能な実装態様では、予め設定された間欠受信ＤＲＸパラメータ、並びに時間リソース及び／又は周波数リソースに関する受信された情報に従って、ＤＲＸに対応するタイマの動作を決定する段階は、特に以下の段階を含む。つまり、時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＵＥにより、ＤＲＸに対応する少なくとも１つのタイマを停止又は一時停止する段階である。ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む。
【００７８】
第６態様の第５の可能な実装態様、又は第６態様の第６の可能な実装態様に関連して、第７の可能な実装態様では、予め設定された間欠受信ＤＲＸパラメータ、並びに時間リソース及び／又は周波数リソースに関する受信された情報に従って、ＤＲＸに対応するタイマの動作を決定する段階は、特に以下の段階を含む。つまり、競合により取得された新たな時間リソース及び／又は新たな周波数リソースに関する、ｅＮＢにより通知される情報をＵＥが受信する場合、停止又は一時停止したＤＲＸ関連タイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された新たな時間リソース及び／又は新たな周波数リソースの開始時間位置において、あるいは予め設定された時間内に、あるいは予め設定された間欠受信ＤＲＸパラメータ、並びに時間リソース及び／又は周波数リソースに関する受信された情報に従って決定されたＤＲＸ起動時間の開始位置において、ＵＥにより開始又は再開する段階である。
【００７９】
第６態様の第５の可能な実装態様に関連して、第８の可能な実装態様では、時間リソース及び／又は周波数リソースに従って、取得された時間リソース及び／又は周波数リソース上で主同期信号ＰＳＳ及び／又は副同期信号ＳＳＳを検出する段階は、以下の段階を含む。つまり、競合により取得された時間リソース及び／又は周波数リソースの開始位置から、ＰＳＳ及び／又はＳＳＳの送信タイミングの開始位置を開始する段階である。
【００８０】
第６態様の第８の可能な実装態様に関連して、第９の可能な実装態様では、ＰＳＳ及び／又はＳＳＳの送信タイミングの開始位置を、競合により取得された時間リソース及び／又は周波数リソースの開始位置から開始する段階は、以下の段階を含む。つまり、競合により取得された時間リソース及び／又は周波数リソースの開始位置をフレーム０及び／又はサブフレーム０として用いる段階。又は、前回の競合により取得されたリソース上の最後のフレーム番号及び／又は最後のサブフレーム番号に続いて、競合により取得された時間リソース及び／又は周波数リソースの開始位置のフレーム番号及びサブフレーム番号をカウントする段階である。
【００８１】
第６態様に関連して、第１０の可能な実装態様では、時間リソース及び／又は周波数リソースに関する情報に従ってＵＥにより基地局と通信する段階は、以下の段階を含む。つまり、時間リソース及び／又は周波数リソースに関する情報に従って、以下の複数の原則のうちの少なくとも１つを観察することで、ＵＥによりデータを送信する段階である。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【００８２】
第６態様に関連して、第１１の可能な実装態様では、無認可スペクトルにおいて基地局ｅＮＢによる競合により取得された時間リソース及び／又は周波数リソースに関する、基地局により送信される情報を、ユーザ機器ＵＥにより受信する段階は、以下の段階をさらに含む。つまり、基地局ｅＮＢにより送信された対応する物理ダウンリンク制御チャネルＰＤＣＣＨ信号を受信する段階であり、ＰＤＣＣＨ信号は、基地局ｅＮＢによる競合により取得された時間リソース及び／又は周波数リソースに関する情報を取得するようＵＥに命令するのに用いられる。そして、ＰＤＣＣＨ信号に従って、対応する時間リソース及び／又は周波数リソースに関する情報を取得する段階である。
【００８３】
第６態様に関連して、第１２の可能な実装態様では、無認可スペクトルにおいて基地局ｅＮＢによる競合により取得された時間リソース及び／又は周波数リソースに関する、基地局により送信される情報を、ユーザ機器ＵＥにより受信する段階は、以下の段階をさらに含む。つまり、無認可セルにおいてＰＤＣＣＨチャネル上で待ち受ける時間パターンを決定する段階である。そして、決定された時間パターンに従って、無認可セルにおいて基地局ｅＮＢにより送信されるＰＤＣＣＨ信号を待ち受ける段階であり、ＰＤＣＣＨ信号は、無認可スペクトルにおいてｅＮＢによる競合により取得された時間リソース及び／又は周波数リソースに関する情報を含む。
【００８４】
第６態様の第１２の可能な実装態様に関連して、第１３の可能な実装態様では、無認可セルにおいてＰＤＣＣＨチャネル上で待ち受ける時間パターンを決定する段階は、以下の段階を含む。つまり、システムに予め設定された時間パターンパラメータ値に従ってＵＥにより、無認可セルにおいてＰＤＣＣＨ信号を待ち受ける時間を決定する段階。又は、ｅＮＢにより送信された時間パターンパラメータ構成メッセージをＵＥにより受信する段階であり、時間パターン構成メッセージは、無認可セルにおいてＰＤＣＣＨ信号を待ち受けるための、ｅＮＢによりＵＥに割り当てられる時間パターンパラメータを含む。
【００８５】
第６態様に関連して、第１４の可能な実装態様では、時間リソース及び／又は周波数リソースに関する情報は少なくとも以下のものをさらに含む。つまり、ＵＥがアップリンク送信及び／又はダウンリンク送信を実行し得る時間リソース及び／又は周波数リソース。及び／又は、時間リソース及び／又は周波数リソース上でＵＥにより用いられる時分割複信ＴＤＤ構成に関する情報である。
【００８６】
第６態様の第１４の可能な実装態様に関連して、第１５の可能な実装態様では、時間リソース及び／又は周波数リソース上でＵＥにより用いられる時分割複信ＴＤＤ構成に関する情報において、開始フレーム及び／又は開始サブフレームの開始位置が、基地局ｅＮＢによる競合により取得された時間リソース及び／又は周波数リソースの開始位置から開始する。
【００８７】
第７態様に従って通信システムが提供され、通信システムは、基地局ｅＮＢ及び少なくとも１つのユーザ機器ＵＥを含む。基地局ｅＮＢは、第１態様又は第１態様の複数の可能な実装態様のうちの何れか１つに従った基地局ｅＮＢであり、ユーザ機器ＵＥは、第２態様又は第２態様の複数の可能な実装態様のうちの何れか１つに従ったユーザ機器ＵＥである。又は、基地局ｅＮＢは、第３態様又は第３態様の複数の可能な実装態様のうちの何れか１つに従った基地局ｅＮＢであり、ユーザ機器ＵＥは、第４態様又は第４態様の複数の可能な実装態様のうちの何れか１つに従ったユーザ機器ＵＥである。
【００８８】
本発明の実施形態において提供される無認可スペクトル、デバイス、及びシステムを用いて通信を実行するための方法に従って、基地局ｅＮＢが、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は基地局ｅＮＢにより割り当てられた時間リソース及び／又は周波数リソース上にデータを送信する。それにより、ユーザ機器による無認可スペクトルの使用効率を改善させる。
【図面の簡単な説明】
【００８９】
本発明の実施形態において技術的解決法をより明確に説明すべく、実施形態を説明するのに必要とされる添付図面を以下に簡潔に説明する。以下の説明において添付図面は、単に本発明のいくつかの実施形態を示すにすぎず、当業者であれば、創造努力をすることなく、これらの添付図面から他の図面をさらに導き出し得ることは明らかである。
【００９０】
【図１】本発明の一実施形態に従った基地局の概略構造図である。
【００９１】
【図２】本発明の一実施形態に従った別の基地局の概略構造図である。
【００９２】
【図３】本発明の一実施形態に従ったユーザ機器の概略構造図である。
【００９３】
【図４】本発明の別の実施形態に従った基地局の概略構造図である。
【００９４】
【図５】本発明の別の実施形態に従ったユーザ機器の概略構造図である。
【００９５】
【図６】本発明の一実施形態に従い、無認可スペクトルを用いて通信を実行する方法の概略フローチャートである。
【００９６】
【図７】本発明の一実施形態に従い、無認可スペクトルを用いて通信を実行する別の方法の概略フローチャートである。
【００９７】
【図８】本発明の別の実施形態に従い、無認可スペクトルを用いて通信を実行する方法の概略フローチャートである。
【００９８】
【図９】本発明のさらに別の実施形態に従い、無認可スペクトルを用いて通信を実行する方法の概略フローチャートである。
【００９９】
【図１０】本発明の一実施形態に従った通信システムの概略構造図である。
【発明を実施するための形態】
【０１００】
本発明の実施形態における添付図面を参照して、本発明の実施形態における技術的解決法を以下に明確且つ完全に説明する。説明される実施形態は、本発明の実施形態のいくつかにすぎず、全てではないことは明らかである。本発明の実施形態に基づいて創造努力することなく当業者により取得される他の全ての実施形態は、本発明の保護範囲内に含まれるものとする。
【０１０１】
本発明は基地局１を提供し、基地局ｅＮＢ１は、本発明の実施形態において提供される無認可スペクトルを用いて通信を実行するための複数の方法のうちの何れか１つの実装を前提とする。図１を参照すると、基地局ｅＮＢ１は以下のユニットを含む。つまり、無認可スペクトルを用いる別のｅＮＢ又は別のシステムと競合することで時間リソース及び／又は周波数リソースを取得するよう構成された競合ユニット１１。競合ユニットによる競合により取得された時間リソース及び／又は周波数リソースに従って、時間リソース及び／又は周波数リソースに関する情報を生成するよう構成された生成ユニット１２。そして、時間リソース及び／又は周波数リソースに関する、生成ユニットにより生成される情報を、ブロードキャスト又はマルチキャスト・メッセージを用いてユーザ機器ＵＥに送信するよう構成された送信ユニット１３であり、これにより、ユーザ機器ＵＥは、時間リソース及び／又は周波数リソースに関する情報に従って基地局ｅＮＢと通信する。
【０１０２】
本発明のこの実施形態において提供される基地局に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。
【０１０３】
図２を参照すると、任意選択で、基地局１は以下のユニットをさらに含む。つまり、時間リソース及び／又は周波数リソースに関する情報が、ブロードキャスト又はマルチキャスト・メッセージを用いてユーザ機器ＵＥに送信される前に、無認可スペクトルのリソース上でｅＮＢによる競合により取得された時間リソース及び／又は周波数リソースを取得するためのパラメータを、ユーザ機器ＵＥに割り当てるよう構成された割り当てユニット１４であって、パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するのに用いられる、割り当てユニットである。
【０１０４】
さらに、時間リソース及び／又は周波数リソースに関する情報は少なくとも、無認可スペクトルのリソース上の時間リソース及び／又は周波数リソースのパラメータを含む。
【０１０５】
任意選択で、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【０１０６】
基地局による競合により取得された時間リソース及び／又は周波数リソースは、リソースセグメントの残存部分であってよい。
【０１０７】
任意選択で、送信ユニット１３はさらに以下のことをするよう特に構成される。つまり、基地局ｅＮＢが競合により時間リソース及び／又は周波数リソースを取得しない場合、時間リソース及び／又は周波数リソースに関する情報を送信して、時間リソース及び／又は周波数リソースが競合により取得されないことをＵＥに通知する。
【０１０８】
さらに任意選択で、時間リソース及び／又は周波数リソースに関する情報は、以下のものをさらに含む。つまり、ＵＥがアップリンク送信及び／又はダウンリンク送信を実行し得る時間リソース及び／又は周波数リソース。及び／又は、時間リソース及び／又は周波数リソース上でＵＥにより用いられる時分割複信ＴＤＤ構成に関する情報である。
【０１０９】
さらに、時間リソース及び／又は周波数リソース上でＵＥにより用いられる時分割複信ＴＤＤ構成に関する情報において、ＴＤＤ構成の開始サブフレームの開始位置が、基地局ｅＮＢによる競合により取得された時間リソース及び／又は周波数リソースの開始位置から開始する。
【０１１０】
任意選択で、リソースのブロードキャスト又はマルチキャスト・メッセージは、無線リソース制御ＲＲＣメッセージ、媒体アクセス制御・制御素子ＭＡＣ−ＣＥメッセージ、又は物理ダウンリンク制御チャネルＰＤＣＣＨ信号のうちの少なくとも１つである。
【０１１１】
任意選択で、送信ユニット１３はさらに以下のことをするよう特に構成される。つまり、無認可スペクトルの物理ダウンリンク制御チャネルＰＤＣＣＨ上で、無認可スペクトルを用いるＵＥに、競合により取得された時間リソース及び／又は周波数リソースに関する情報を通知する。又は、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳを用いて送信する。又は、競合により取得された時間リソース及び／又は周波数リソースに関する情報を、少なくとも１つのユーザ機器ＵＥに、物理ダウンリンク制御チャネルＰＤＣＣＨのユーザ機器ＵＥ探索空間ＵＳＳを用いて送信する。
【０１１２】
任意選択で、送信ユニット１３はさらに、無認可スペクトルの物理ダウンリンク制御チャネルＰＤＣＣＨ上で、競合により取得された時間リソース及び／又は周波数リソースに関する情報をＵＥに通知する前に、時間パターン構成メッセージをＵＥに送信するよう特に構成される。時間パターン構成メッセージは、無認可セルにおいてＰＤＣＣＨ信号を待ち受けるための、ｅＮＢによりＵＥに割り当てられる時間パターンパラメータを含む。これにより、ＵＥは、時間パターンパラメータに従って、無認可セルにおいて基地局ｅＮＢにより送信されるＰＤＣＣＨ信号を待ち受ける時間パターンを決定する。
【０１１３】
任意選択で、リソースのブロードキャスト又はマルチキャスト・メッセージは、競合により取得されたリソースの有効時間内で繰り返し送信される。
【０１１４】
本発明のこの実施形態において提供される基地局に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。さらに、ＰＤＣＣＨスケジューリング信号を送信することにより、ユーザ機器内部のタイマが調整及び制御され得て、それにより、ユーザ機器の電力消費が低減される。
【０１１５】
本発明はユーザ機器２を提供し、ユーザ機器２は、本発明の実施形態において提供される無認可スペクトルを用いて通信を実行するための複数の方法のうちの何れか１つの実装を前提とする。図３を参照すると、ユーザ機器２は以下のユニットを含む。つまり、無認可スペクトルにおいて基地局ｅＮＢによる競合により取得された時間リソース及び／又は周波数リソースに関する、基地局により送信される情報を受信するよう構成された受信ユニット２１である。そして、時間リソース及び／又は周波数リソースに関する、受信ユニットにより受信される情報に従って、基地局ｅＮＢと通信するよう構成された送信ユニット２２である。
【０１１６】
本発明のこの実施形態において提供されるユーザ機器に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。
【０１１７】
任意選択で、受信ユニット２１は以下のことをするようさらに構成される。無認可スペクトルにおいて基地局ｅＮＢによる競合により取得された時間リソース及び／又は周波数リソースに関する、基地局により送信される情報を受信する前に、無認可スペクトルのリソース上で競合により取得された時間リソース及び／又は周波数リソースについての、基地局ｅＮＢにより割り当てられるパラメータを受信する。パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するようＵＥに命令するのに用いられる。
【０１１８】
さらに、時間リソース及び／又は周波数リソースに関する情報は少なくとも、無認可スペクトルのリソース上の時間リソース及び／又は周波数リソースのパラメータを含む。
【０１１９】
任意選択で、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【０１２０】
任意選択で、受信ユニット２１はさらに以下のことをするよう特に構成される。つまり、基地局ｅＮＢが競合により時間リソース及び／又は周波数リソースを取得しない場合、時間リソース及び／又は周波数リソースに関する情報を受信して、基地局ｅＮＢが競合により時間リソース及び／又は周波数リソースを取得しないことを認識する。
【０１２１】
任意選択で、送信ユニット２２は以下のことをするよう特に構成される。つまり、時間リソース及び／又は周波数リソースに関する情報に従って構成情報を決定する。ＵＥは少なくとも以下の動作を実行し、時間リソース及び／又は周波数リソースに関する情報に従って構成情報を決定する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。及び／又は、予め設定された間欠受信ＤＲＸパラメータ、並びに時間リソース及び／又は周波数リソースに関する受信された情報に従って、ＤＲＸ起動時間の長さを決定する。及び／又は、予め設定された間欠受信ＤＲＸパラメータ、並びに時間リソース及び／又は周波数リソースに関する受信された情報に従って、ＤＲＸに対応するタイマの動作を決定する。
【０１２２】
さらに、送信ユニット２２はさらに以下のことをするよう特に構成される。つまり、時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＤＲＸに対応する少なくとも１つのタイマを停止又は一時停止する。ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む。
【０１２３】
さらに任意選択で、送信ユニット２２はさらに以下のことをするよう特に構成される。つまり、競合により取得された新たな時間リソース及び／又は新たな周波数リソースに関する、ｅＮＢにより通知される情報をＵＥが受信する場合、停止又は一時停止したＤＲＸ関連タイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された新たな時間リソース及び／又は新たな周波数リソースの開始時間位置において、あるいは予め設定された時間内に、あるいは予め設定された間欠受信ＤＲＸパラメータ、並びに時間リソース及び／又は周波数リソースに関する受信された情報に従って決定されたＤＲＸ起動時間の開始位置において、開始又は再開する。
【０１２４】
任意選択で、ＰＳＳ及び／又はＳＳＳの送信タイミングの開始位置が、競合により取得された時間リソース及び／又は周波数リソースの開始位置から開始する。
【０１２５】
さらに任意選択で、送信ユニット２２はさらに以下のことをするよう特に構成される。つまり、競合により取得された時間リソース及び／又は周波数リソースの開始位置をフレーム０及び／又はサブフレーム０として用いる。又は、前回の競合により取得されたリソース上の最後のフレーム番号及び／又は最後のサブフレーム番号に続いて、競合により取得された時間リソース及び／又は周波数リソースの開始位置のフレーム番号及びサブフレーム番号をカウントする。
【０１２６】
任意選択で、送信ユニット２２はさらに以下のことをするよう特に構成される。つまり、時間リソース及び／又は周波数リソースに関する情報に従って、以下の複数の原則のうちの少なくとも１つを観察することで、データを送信する。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【０１２７】
任意選択で、受信ユニット２１は以下のことをするようさらに構成される。つまり、基地局ｅＮＢにより送信された対応する物理ダウンリンク制御チャネルＰＤＣＣＨ信号を受信し、ＰＤＣＣＨ信号は、基地局ｅＮＢによる競合により取得された時間リソース及び／又は周波数リソースに関する情報を取得するようＵＥに命令するのに用いられる。そして、ＰＤＣＣＨ信号に従って、対応する時間リソース及び／又は周波数リソースに関する情報を取得する。
【０１２８】
任意選択で、送信ユニット２２はさらに以下のことをするよう特に構成される。つまり、無認可セルにおいてＰＤＣＣＨチャネル上で待ち受ける時間パターンを決定する。そして、決定された時間パターンに従って、無認可セルにおいて基地局ｅＮＢにより送信されるＰＤＣＣＨ信号を待ち受け、ＰＤＣＣＨ信号は、無認可スペクトルにおいてｅＮＢによる競合により取得された時間リソース及び／又は周波数リソースに関する情報を含む。
【０１２９】
さらに、送信ユニット２２はさらに以下のことをするよう特に構成される。つまり、システムに予め設定された時間パターンパラメータ値に従って、無認可セルにおいてＰＤＣＣＨ信号を待ち受ける時間を決定する。又は、ｅＮＢにより送信された時間パターンパラメータ構成メッセージを受信し、時間パターン構成メッセージは、無認可セルにおいてＰＤＣＣＨ信号を待ち受けるための、ｅＮＢによりＵＥに割り当てられる時間パターンパラメータを含む。
【０１３０】
任意選択で、時間リソース及び／又は周波数リソースに関する情報は少なくとも以下のものをさらに含む。つまり、ＵＥがアップリンク送信及び／又はダウンリンク送信を実行し得る時間リソース及び／又は周波数リソース。及び／又は、時間リソース及び／又は周波数リソース上でＵＥにより用いられる時分割複信ＴＤＤ構成に関する情報である。
【０１３１】
さらに、時間リソース及び／又は周波数リソース上でＵＥにより用いられる時分割複信ＴＤＤ構成に関する情報において、ＴＤＤ構成の開始フレーム及び／又は開始サブフレームの開始位置が、基地局ｅＮＢによる競合により取得された時間リソース及び／又は周波数リソースの開始位置から開始する。
【０１３２】
本発明のこの実施形態において提供されるユーザ機器に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。さらに、ＰＤＣＣＨスケジューリング信号を送信することにより、ユーザ機器内部のタイマが調整及び制御され得て、それにより、ユーザ機器の電力消費が低減される。
【０１３３】
本発明の一実施形態が基地局ｅＮＢ３を提供する。図４を参照すると、基地局ｅＮＢ３は、少なくとも１つのプロセッサ３１、メモリ３２、通信インタフェース３３、及びバス３４を含む。少なくとも１つのプロセッサ３１、メモリ３２、及び通信インタフェース３３は、バス３４を用いて接続され、バス３４を用いることで互いと通信を実行する。
【０１３４】
バス３４は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、ペリフェラル・コンポーネント・インターコネクト（Ｐｅｒｉｐｈｅｒａｌ  Ｃｏｍｐｏｎｅｎｔ  Ｉｎｔｅｒｃｏｎｎｅｃｔ、略してＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス、又は同様のものであってよい。バス３４は、アドレスバス、データバス、制御バスなどに分類され得る。表現しやすくするために、図４において1つの太線のみがバス３４を表すのに用いられるが、このことは、１つのバスのみが存在する、又は１つの種類のバスのみが存在することを意味するものではない。
【０１３５】
メモリ３２は、実行可能プログラムコードを格納するよう構成され、プログラムコードはコンピュータ演算命令を含む。メモリ３２は高速ＲＡＭメモリを含み得て、少なくとも１つのディスクメモリなどの不揮発性メモリ（ｎｏｎ−ｖｏｌａｔｉｌｅ  ｍｅｍｏｒｙ）をさらに含み得る。
【０１３６】
プロセッサ３１は、中央処理装置（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）であってよく、あるいは、本発明のこの実施形態を実装する１又は複数の集積回路として構成されてよい。
【０１３７】
通信インタフェース３３は、この実施形態において、主に装置間で通信を実行するよう構成される。
【０１３８】
プロセッサ３１は、無認可スペクトルを用いる別のｅＮＢ又は別のシステムと競合することで、時間リソース及び／又は周波数リソースを取得するよう構成される。
【０１３９】
プロセッサ３１は、時間リソース及び／又は周波数リソースに従って、時間リソース及び／又は周波数リソースに関する情報を生成するようさらに構成される。
【０１４０】
プロセッサ３１は、時間リソース及び／又は周波数リソースに関する情報を、ブロードキャスト又はマルチキャスト・メッセージ、及び少なくとも１つの通信インタフェース３３を用いてユーザ機器ＵＥに送信するようさらに構成され、これにより、ユーザ機器ＵＥは、時間リソース及び／又は周波数リソースに関する情報に従って基地局ｅＮＢと通信する。
【０１４１】
本発明のこの実施形態において提供される基地局に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。
【０１４２】
任意選択で、プロセッサ３１は以下のことをするようさらに構成される。つまり、時間リソース及び／又は周波数リソースに関する情報が、ブロードキャスト又はマルチキャスト・メッセージ、及び少なくとも１つの通信インタフェース３３を用いてユーザ機器ＵＥに送信される前に、無認可スペクトルのリソース上でｅＮＢによる競合により取得された時間リソース及び／又は周波数リソースを取得するためのパラメータをユーザ機器ＵＥに割り当てる。パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するのに用いられる。
【０１４３】
さらに、時間リソース及び／又は周波数リソースに関する情報は少なくとも、無認可スペクトルのリソース上の時間リソース及び／又は周波数リソースのパラメータを含む。
【０１４４】
任意選択で、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【０１４５】
任意選択で、プロセッサ３１は以下のことをするようさらに構成される。つまり、基地局ｅＮＢが、競合により時間リソース及び／又は周波数リソースを取得しない場合、少なくとも１つの通信インタフェース３３を用いて時間リソース及び／又は周波数リソースに関する情報を送信し、時間リソース及び／又は周波数リソースが競合により取得されないことをＵＥに通知する。
【０１４６】
任意選択で、時間リソース及び／又は周波数リソースに関する情報は、以下のものをさらに含む。つまり、ＵＥがアップリンク送信及び／又はダウンリンク送信を実行し得る時間リソース及び／又は周波数リソース。及び／又は、時間リソース及び／又は周波数リソース上で、ＵＥにより用いられる時分割複信ＴＤＤ構成に関する情報である。
【０１４７】
さらに、時間リソース及び／又は周波数リソース上でＵＥにより用いられる時分割複信ＴＤＤ構成に関する情報において、ＴＤＤ構成の開始サブフレームの開始位置が、基地局ｅＮＢによる競合により取得された時間リソース及び／又は周波数リソースの開始位置から開始する。
【０１４８】
任意選択で、リソースのブロードキャスト又はマルチキャスト・メッセージは、無線リソース制御ＲＲＣメッセージ、媒体アクセス制御・制御素子ＭＡＣ−ＣＥメッセージ、又は物理ダウンリンク制御チャネルＰＤＣＣＨ信号のうちの少なくとも１つである。
【０１４９】
任意選択で、プロセッサ３１はさらに以下のことをするよう特に構成される。つまり、無認可スペクトルの物理ダウンリンク制御チャネルＰＤＣＣＨ上で、無認可スペクトルを用いるＵＥに、競合により取得された時間リソース及び／又は周波数リソースに関する情報を通知する。又は、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳ、及び少なくとも１つの通信インタフェース３３を用いて送信する。又は、競合により取得された時間リソース及び／又は周波数リソースに関する情報を、少なくとも１つのユーザ機器ＵＥに、物理ダウンリンク制御チャネルＰＤＣＣＨのユーザ機器ＵＥ探索空間ＵＳＳ、及び少なくとも１つの通信インタフェース３３を用いて送信する。
【０１５０】
任意選択で、プロセッサ３１はさらに以下のことをするよう特に構成される。つまり、無認可スペクトルの物理ダウンリンク制御チャネルＰＤＣＣＨ上で少なくとも１つの通信インタフェース３３を用いて、競合により取得された時間リソース及び／又は周波数リソースに関する情報をＵＥに通知する前に、時間パターン構成メッセージをＵＥに送信する。時間パターン構成メッセージは、無認可セルにおいてＰＤＣＣＨ信号を待ち受けるための、ｅＮＢによりＵＥに割り当てられる時間パターンパラメータを含む。これにより、ＵＥは、時間パターンパラメータに従って、無認可セルにおいて基地局ｅＮＢにより送信されるＰＤＣＣＨ信号を待ち受ける時間パターンを決定する。
【０１５１】
任意選択で、リソースのブロードキャスト又はマルチキャスト・メッセージは、競合により取得されたリソースの有効時間内で繰り返し送信される。
【０１５２】
本発明のこの実施形態において提供される基地局に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。さらに、ＰＤＣＣＨスケジューリング信号を送信することにより、ユーザ機器内部のタイマが調整及び制御され得て、それにより、ユーザ機器の電力消費が低減される。
【０１５３】
本発明の一実施形態がユーザ機器４を提供する。図５を参照すると、ユーザ機器４は、少なくとも１つのプロセッサ４１、メモリ４２、通信インタフェース４３、及びバス４４を含む。少なくとも１つのプロセッサ４１、メモリ４２、及び通信インタフェース４３は、バス４４を用いて接続され、バス４４を用いることで互いと通信を実行する。
【０１５４】
バス４４は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、ペリフェラル・コンポーネント・インターコネクト（Ｐｅｒｉｐｈｅｒａｌ  Ｃｏｍｐｏｎｅｎｔ  Ｉｎｔｅｒｃｏｎｎｅｃｔ、略してＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス、又は同様のものであってよい。バス４４は、アドレスバス、データバス、制御バスなどに分類され得る。表現しやすくするために、図５において1つの太線のみがバス４４を表すのに用いられるが、このことは、１つのバスのみが存在する、又は１つの種類のバスのみが存在することを意味するものではない。
【０１５５】
メモリ４２は、実行可能プログラムコードを格納するよう構成され、プログラムコードはコンピュータ演算命令を含む。メモリ４２は高速ＲＡＭメモリを含み得て、少なくとも１つのディスクメモリなどの不揮発性メモリ（ｎｏｎ−ｖｏｌａｔｉｌｅ  ｍｅｍｏｒｙ）をさらに含み得る。
【０１５６】
プロセッサ４１は、中央処理装置（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）であってよく、あるいは、本発明のこの実施形態を実装する１又は複数の集積回路として構成されてよい。
【０１５７】
通信インタフェース４３は、この実施形態において、主に装置間で通信を実行するよう構成される。
【０１５８】
プロセッサ４１は、少なくとも１つの通信インタフェース４３を用いて、無認可スペクトルにおいて基地局ｅＮＢによる競合により取得された時間リソース及び／又は周波数リソースに関する、基地局により送信される情報を受信するよう構成される。
【０１５９】
プロセッサ４１は、時間リソース及び／又は周波数リソースに関する情報に従って、少なくとも１つの通信インタフェース４３を用いて、基地局ｅＮＢと通信するようさらに構成される。
【０１６０】
本発明のこの実施形態において提供されるユーザ機器に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。
【０１６１】
任意選択で、プロセッサ４１は以下のことをするようさらに構成される。つまり、少なくとも１つの通信インタフェース４３を用いて、無認可スペクトルにおいて基地局ｅＮＢによる競合により取得された時間リソース及び／又は周波数リソースに関する、基地局により送信される情報を受信する前に、少なくとも１つの通信インタフェース４３を用いて、無認可スペクトルのリソース上で競合により取得された時間リソース及び／又は周波数リソースについての、基地局ｅＮＢにより割り当てられるパラメータを受信する。パラメータは、少なくとも無認可スペクトルの無線ネットワーク一時識別子Ｕ−ＲＮＴＩを含み、Ｕ−ＲＮＴＩは、物理ダウンリンク制御チャネルＰＤＣＣＨを検出するようＵＥに命令するのに用いられる。
【０１６２】
さらに、時間リソース及び／又は周波数リソースに関する情報は少なくとも、無認可スペクトルのリソース上の時間リソース及び／又は周波数リソースのパラメータを含む。
【０１６３】
任意選択で、時間リソース及び／又は周波数リソースに関する情報は少なくとも以下のものを含む。つまり、時間リソース及び／又は周波数リソースの開始時間及び終了時間、あるいは、基地局による競合により取得された時間リソース及び／又は周波数リソースである。
【０１６４】
任意選択で、プロセッサ４１は以下のことをするようさらに構成される。つまり、基地局ｅＮＢが、競合により時間リソース及び／又は周波数リソースを取得しない場合、少なくとも１つの通信インタフェース４３を用いて時間リソース及び／又は周波数リソースに関する情報を受信し、基地局ｅＮＢが時間リソース及び／又は周波数リソースを競合により取得しないことを認識する。
【０１６５】
任意選択で、プロセッサ４１は以下のことをするよう特に構成される。つまり、時間リソース及び／又は周波数リソースに関する情報に従って構成情報を決定する。ＵＥは少なくとも以下の動作を実行し、時間リソース及び／又は周波数リソースに関する情報に従って構成情報を決定する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。及び／又は、予め設定された間欠受信ＤＲＸパラメータ、並びに時間リソース及び／又は周波数リソースに関する受信された情報に従って、ＤＲＸ起動時間の長さを決定する。及び／又は、予め設定された間欠受信ＤＲＸパラメータ、並びに時間リソース及び／又は周波数リソースに関する受信された情報に従って、ＤＲＸに対応するタイマの動作を決定する。
【０１６６】
さらに、プロセッサ４１はさらに以下のことをするよう特に構成される。つまり、時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＤＲＸに対応する少なくとも１つのタイマを停止又は一時停止する。ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む。
【０１６７】
さらに任意選択で、プロセッサ４１はさらに以下のことをするよう特に構成される。つまり、競合により取得された新たな時間リソース及び／又は新たな周波数リソースに関する、ｅＮＢにより通知される情報をＵＥが受信する場合、停止又は一時停止したＤＲＸ関連タイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された新たな時間リソース及び／又は新たな周波数リソースの開始時間位置において、あるいは予め設定された時間内に、あるいは予め設定された間欠受信ＤＲＸパラメータ、並びに時間リソース及び／又は周波数リソースに関する受信された情報に従って決定されたＤＲＸ起動時間の開始位置において、開始又は再開する。
【０１６８】
任意選択で、ＰＳＳ及び／又はＳＳＳの送信タイミングの開始位置が、競合により取得された時間リソース及び／又は周波数リソースの開始位置から開始する。
【０１６９】
さらに、プロセッサ４１はさらに以下のことをするよう特に構成される。つまり、競合により取得された時間リソース及び／又は周波数リソースの開始位置をフレーム０及び／又はサブフレーム０として用いる。又は、前回の競合により取得されたリソース上の最後のフレーム番号及び／又は最後のサブフレーム番号に続いて、競合により取得された時間リソース及び／又は周波数リソースの開始位置のフレーム番号及びサブフレーム番号をカウントする。
【０１７０】
任意選択で、プロセッサ４１はさらに以下のことをするよう特に構成される。つまり、時間リソース及び／又は周波数リソースに関する情報に従って、以下の複数の原則のうちの少なくとも１つを観察することで、データを送信する。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【０１７１】
任意選択で、プロセッサ４１はさらに以下のことをするよう特に構成される。つまり、少なくとも１つの通信インタフェース４３を用いて、基地局ｅＮＢにより送信された対応する物理ダウンリンク制御チャネルＰＤＣＣＨ信号を受信し、ＰＤＣＣＨ信号は、基地局ｅＮＢによる競合により取得された時間リソース及び／又は周波数リソースに関する情報を取得するようＵＥに命令するのに用いられる。そして、ＰＤＣＣＨ信号に従って、対応する時間リソース及び／又は周波数リソースに関する情報を取得する。
【０１７２】
任意選択で、プロセッサ４１はさらに以下のことをするよう特に構成される。つまり、無認可セルにおいてＰＤＣＣＨチャネル上で待ち受ける時間パターンを決定する。そして、決定された時間パターンに従って、無認可セルにおいて基地局ｅＮＢにより送信されるＰＤＣＣＨ信号を待ち受け、ＰＤＣＣＨ信号は、無認可スペクトルにおいてｅＮＢによる競合により取得された時間リソース及び／又は周波数リソースに関する情報を含む。
【０１７３】
さらに、プロセッサ４１はさらに以下のことをするよう特に構成される。つまり、システムに予め設定された時間パターンパラメータ値に従って、無認可セルにおいてＰＤＣＣＨ信号を待ち受ける時間を決定する。又は、少なくとも１つの通信インタフェース４３を用いて、ｅＮＢにより送信された時間パターンパラメータ構成メッセージを受信し、時間パターン構成メッセージは、無認可セルにおいてＰＤＣＣＨ信号を待ち受けるための、ｅＮＢによりＵＥに割り当てられる時間パターンパラメータを含む。
【０１７４】
任意選択で、時間リソース及び／又は周波数リソースに関する情報は少なくとも以下のものをさらに含む。つまり、ＵＥがアップリンク送信及び／又はダウンリンク送信を実行する時間リソース及び／又は周波数リソース。及び／又は、時間リソース及び／又は周波数リソース上でＵＥにより用いられる時分割複信ＴＤＤ構成である。
【０１７５】
さらに、時間リソース及び／又は周波数リソース上でＵＥにより用いられる時分割複信ＴＤＤ構成に関する情報において、ＴＤＤ構成の開始フレーム及び／又は開始サブフレームの開始位置が、基地局ｅＮＢによる競合により取得された時間リソース及び／又は周波数リソースの開始位置から開始する。
【０１７６】
本発明のこの実施形態において提供されるユーザ機器に従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。さらに、ＰＤＣＣＨスケジューリング信号を送信することにより、ユーザ機器内部のタイマが調整及び制御され得て、それにより、ユーザ機器の電力消費が低減される。
【０１７７】
本発明の一実施形態が、基地局側で実行される無認可スペクトルを用いて通信を実行するための方法を提供する。図６を参照すると、方法は以下の段階を特に含む。
【０１７８】
５０１．基地局ｅＮＢが、無認可スペクトルを用いる別のｅＮＢ又は別のシステムと競合することで、時間リソース及び／又は周波数リソースを取得する。
【０１７９】
５０２．基地局ｅＮＢは、時間リソース及び／又は周波数リソースに従って、時間リソース及び／又は周波数リソースに関する情報を生成する。
【０１８０】
任意選択で、基地局ｅＮＢが、時間リソース及び／又は周波数リソースに従って、時間リソース及び／又は周波数リソースに関する情報を生成する前に、基地局ｅＮＢは、無認可スペクトルのリソース上の時間リソース及び／又は周波数リソースに関する情報を取得するためのパラメータを、ユーザ機器ＵＥ（Ｕｓｅｒ  Ｅｑｕｉｐｍｅｎｔ）に割り当てる。時間リソース及び／又は周波数リソースに関する情報のパラメータは、少なくとも無認可スペクトルの無線ネットワーク一時識別子Ｕ−ＲＮＴＩ（Ｕｎｌｉｃｅｎｓｅｄ−Ｒａｄｉｏ  Ｎｅｔｗｏｒｋ  Ｔｅｍｐｏｒａｒｙ  Ｉｄｅｎｔｉｔｙ）を含み、Ｕ−ＲＮＴＩは、無認可セルにおいてユーザ機器ＵＥの少なくとも１つのグループにより用いられ得るリソース識別子ＲＮＴＩであり、ＲＮＴＩは、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を検出するのに用いられる。
【０１８１】
時間リソース及び／又は周波数リソースに関する情報は少なくとも以下のものをさらに含む。つまり、ＵＥがアップリンク送信及び／又はダウンリンク送信を実行し得る時間リソース及び／又は周波数リソース。及び／又は、時間リソース及び／又は周波数リソース上で、ＵＥにより用いられる時分割複信ＴＤＤ構成に関する情報である。
【０１８２】
時間リソース及び／又は周波数リソース上でＵＥにより用いられる時分割複信ＴＤＤ構成に関する情報において、ＴＤＤ構成の開始サブフレームが、基地局ｅＮＢによる競合により取得された時間リソース及び／又は周波数リソースの開始位置から開始する。すなわち、ＵＥが時分割複信ＴＤＤ（Ｔｉｍｅ  Ｄｉｖｉｓｉｏｎ  Ｄｕｐｌｅｘｉｎｇ）構成を適用する場合、ＴＤＤの開始位置は、競合により取得された時間リソース及び／又は周波数リソースの開始位置である。
【０１８３】
５０３．基地局ｅＮＢは、時間リソース及び／又は周波数リソースに関する情報を、ブロードキャスト又はマルチキャスト・メッセージを用いてユーザ機器ＵＥに送信する。これにより、ユーザ機器ＵＥは、時間リソース及び／又は周波数リソースに関する情報に従って基地局ｅＮＢと通信する。
【０１８４】
時間リソース及び／又は周波数リソースに関する情報は少なくとも以下のものを含む。つまり、時間リソース及び／又は周波数リソースの開始時間及び終了時間であり、ここで繰り返しブロードキャスト又はマルチキャストされる時間リソース情報及び／又は周波数リソース情報が同一である場合、時間リソース情報及び／又は周波数リソース情報は、時間リソース期間及び／又は周波数リソース期間内にＵＥ用の時間リソース及び／又は周波数リソースの開始時間及び終了時間を示す。又は、基地局による競合により取得された時間リソース及び／又は周波数リソースであり、ここで基地局による競合により取得された時間リソース及び／又は周波数リソースは、リソースセグメントの残存部分であってよく、ここで繰り返しブロードキャスト又はマルチキャストされるリソースメッセージが異なる場合、毎回ブロードキャスト又はマルチキャストされるリソース情報は、競合により取得された現行の時間リソース及び／又は現行の周波数リソースにおける残存リソースを実際に示す。
【０１８５】
任意選択で、基地局ｅＮＢが競合により時間リソース及び／又は周波数リソースを取得しない場合、基地局ｅＮＢは、時間リソース及び／又は周波数リソースに関する情報を送信して、時間リソース及び／又は周波数リソースが競合により取得されないことをＵＥに通知する。
【０１８６】
時間リソース及び／又は周波数リソースに関する情報が、特定の時間範囲内でｅＮＢによる競合により取得されない時間リソース及び／又は周波数リソースを含む場合、ＵＥは、時間リソース及び／又は周波数リソースに関する情報内の取得されなかった時間リソース及び／又は周波数リソースに従って、取得された時間リソース及び／又は周波数リソースを認識する。
【０１８７】
任意選択で、リソースのブロードキャスト又はマルチキャスト・メッセージは、無線リソース制御ＲＲＣ（Ｒａｄｉｏ  Ｒｅｓｏｕｒｃｅ  Ｃｏｎｔｒｏｌ）メッセージ、媒体アクセス制御・制御素子ＭＡＣ−ＣＥ（Ｍｅｄｉａ  Ａｃｃｅｓｓ  Ｃｏｎｔｒｏｌ  Ｃｏｎｔｒｏｌ  Ｅｌｅｍｅｎｔ）メッセージ、又は物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）信号のうちの少なくとも１つである。
【０１８８】
リソースのブロードキャスト又はマルチキャスト・メッセージは、競合により取得されたリソースの有効時間内で繰り返し送信される。
【０１８９】
基地局ｅＮＢが競合により、さらに多くの時間リソース及び／又は周波数リソースを現行の有効リソース上で取得する場合、基地局ｅＮＢは、リソースのブロードキャスト又はマルチキャスト・メッセージを予め設定された回数Ｎだけ繰り返し、次に、競合により取得されたさらに多くの時間リソース及び／又は周波数リソースに従って、競合により取得された時間リソース及び／又は周波数リソースに関する、リソースのブロードキャスト又はマルチキャスト・メッセージに含まれる情報を更新し、リソースのブロードキャスト又はマルチキャスト・メッセージを繰り返し送信し続け得る。
【０１９０】
本発明の一実施形態が、ユーザ機器側で実行される無認可スペクトルを用いて通信を実行するための方法を提供する。図７を参照すると、方法は以下の段階を特に含む。
【０１９１】
６０１．ユーザ機器ＵＥが、無認可スペクトルにおいて基地局ｅＮＢによる競合により取得された時間リソース及び／又は周波数リソースに関する、基地局により送信される情報を受信する。
【０１９２】
ここで、ユーザ機器ＵＥが、時間リソース及び／又は周波数リソースに関する、基地局ｅＮＢにより送信される情報を受信する前に、ＵＥは、無認可スペクトルのリソース上の時間リソース及び／又は周波数リソースに関する情報についての、基地局ｅＮＢにより割り当てられるパラメータを受信する。時間リソース及び／又は周波数リソースに関する情報のパラメータは、少なくとも無認可スペクトルの無線ネットワーク一時識別子Ｕ−ＲＮＴＩを含み、Ｕ−ＲＮＴＩは、無認可セルにおいてユーザ機器ＵＥの少なくとも１つのグループにより用いられ得るリソース識別子ＲＮＴＩであり、ＲＮＴＩは、物理ダウンリンク制御チャネルＰＤＣＣＨを検出するのに用いられる。
【０１９３】
さらに、ＵＥは、基地局ｅＮＢにより送信された対応する物理ダウンリンク制御チャネルＰＤＣＣＨ信号を受信し、ＰＤＣＣＨ信号は、基地局ｅＮＢによる競合により取得された時間リソース及び／又は周波数リソースに関する情報を取得するようＵＥに命令するのに用いられ、ＰＤＣＣＨ信号に従って、対応する時間リソース及び／又は周波数リソースに関する情報を取得する。
【０１９４】
ここで、ＵＥは、ｅＮＢにより送信された対応する物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）スケジューリング信号を受信する。ＰＤＣＣＨスケジューリング信号は、ＵＥによりアップリンクデータ及び／又はダウンリンクデータを送信するのに用いられる時間リソース及び／又は周波数リソースに関する情報を含む。ＰＤＣＣＨスケジューリング信号は、無認可セルＵ−Ｃｅｌｌ（Ｕｎｌｉｃｅｎｓｅｄ  Ｃｅｌｌ）において送信され得る、又は認可セルＬ−Ｃｅｌｌ（ｌｉｃｅｎｓｅｄ  Ｃｅｌｌ）において送信され得る。
【０１９５】
任意選択で、ユーザ機器ＵＥにより、無認可スペクトルにおいて基地局ｅＮＢによる競合により取得された時間リソース及び／又は周波数リソースに関する、基地局により送信される情報を受信することは、以下のことをさらに含む。（ａ）無認可セルのＰＤＣＣＨチャネル上で待ち受ける時間パターンを決定することであり、ＵＥは、システムにおいて予め設定された時間パターンパラメータ値に従って、無認可セルにおいてＰＤＣＣＨ信号を待ち受ける時間を決定する、又は、ＵＥは、ｅＮＢにより送信された時間パターンパラメータ構成メッセージを受信し、時間パターン構成メッセージは、無認可セルにおいてＰＤＣＣＨ信号を待ち受けるための、ｅＮＢによりＵＥに割り当てられる時間パターンパラメータを含む。（ｂ）決定された時間パターンに従って、無認可セルにおいて基地局ｅＮＢにより送信されたＰＤＣＣＨ信号をＵＥにより待ち受けることである。
【０１９６】
ＰＤＣＣＨ信号は、無認可スペクトルにおいてｅＮＢによる競合により取得された時間リソース及び／又は周波数リソースに関する情報を含む。
【０１９７】
６０２．ＵＥは、時間リソース及び／又は周波数リソースに関する情報に従って基地局ｅＮＢと通信する。
【０１９８】
任意選択で、ＵＥは、時間リソース及び／又は周波数リソースに関する情報に従って、以下の複数の原則のうちの少なくとも１つを観察することで、データを送信する。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【０１９９】
さらに任意選択で、ＵＥは少なくとも以下の動作を実行して、時間リソース及び／又は周波数リソースに関する情報を取得する。つまり、無認可スペクトルのリソース上で競合により取得された時間リソース及び／又は周波数リソースについての、基地局ｅＮＢにより割り当てられるパラメータをＵＥにより受信することであり、パラメータは、少なくとも無認可スペクトルの無線ネットワーク一時識別子Ｕ−ＲＮＴＩを含み、ＲＮＴＩは、物理ダウンリンク制御チャネルＰＤＣＣＨを検出するようＵＥに命令するのに用いられる。
【０２００】
ＵＥは、時間リソース及び／又は周波数リソースに関する情報に従って構成情報を決定する。ＵＥは少なくとも以下の動作を実行して、構成情報を決定する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。及び／又は、予め設定された間欠受信ＤＲＸパラメータ、並びに時間リソース及び／又は周波数リソースに関する受信された情報に従って、ＤＲＸ起動時間の長さを決定する。及び／又は、予め設定された間欠受信ＤＲＸパラメータ、並びに時間リソース及び／又は周波数リソースに関する受信された情報に従って、ＤＲＸに対応するタイマの動作を決定する。
【０２０１】
時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＵＥはＤＲＸに対応する少なくとも１つのタイマを停止又は一時停止する。ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つ又は２つを含む。
【０２０２】
さらに、競合により取得された新たな時間リソース及び／又は新たな周波数リソースに関する、ｅＮＢにより通知される情報をＵＥが受信する場合、停止又は一時停止したＤＲＸ関連タイマであるオンデュレーション・タイマ、ＤＲＸ起動時間タイマ、ＤＲＸ再送信タイマ、ＤＲＸ短周期タイマ、又はＤＲＸ長周期タイマのうちの少なくとも１つを、競合により取得された新たな時間リソース及び／又は新たな周波数リソースの開始時間位置において、あるいは予め設定された時間内に、あるいは予め設定された間欠受信ＤＲＸパラメータ、並びに時間リソース及び／又は周波数リソースに関する受信された情報に従って決定されたＤＲＸ起動時間の開始位置において、ＵＥは開始又は再開する。
【０２０３】
本発明のこの実施形態において提供される無認可スペクトルを用いて通信を実行するための方法に従って、基地局ｅＮＢが、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は基地局ｅＮＢにより割り当てられた時間リソース及び／又は周波数リソース上にデータを送信する。それにより、ユーザ機器による無認可スペクトルの使用効率を改善させる。
【０２０４】
具体的には、特定の実施形態に関連して以下に説明される。
［実施形態１］
【０２０５】
図６又は図７に示される実施形態に基づいて、図８を参照すると、本発明の一実施形態が、無認可スペクトルを用いて通信を実行する方法を提供する。図８は、基地局ｅＮＢが、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信するプロセスを示す。具体的な段階は以下の通りである。
【０２０６】
７０１．基地局ｅＮＢが、無認可スペクトルを用いる別のｅＮＢ又は別のシステムと競合することで、時間リソース及び／又は周波数リソースを取得する。
【０２０７】
７０２．基地局ｅＮＢは、時間リソース及び／又は周波数リソースに従って、時間リソース及び／又は周波数リソースに関する情報を生成する。
【０２０８】
任意選択で、基地局ｅＮＢが、時間リソース及び／又は周波数リソースに従って、時間リソース及び／又は周波数リソースに関する情報を生成する前に、基地局ｅＮＢは、無認可スペクトルのリソース上の時間リソース及び／又は周波数リソースに関する情報を取得するためのパラメータを、ユーザ機器ＵＥ（Ｕｓｅｒ  Ｅｑｕｉｐｍｅｎｔ）に割り当てる。時間リソース及び／又は周波数リソースに関する情報のパラメータは、少なくとも無認可スペクトルの無線ネットワーク一時識別子Ｕ−ＲＮＴＩ（Ｕｎｌｉｃｅｎｓｅｄ−Ｒａｄｉｏ  Ｎｅｔｗｏｒｋ  Ｔｅｍｐｏｒａｒｙ  Ｉｄｅｎｔｉｔｙ）を含み、Ｕ−ＲＮＴＩは、無認可セルにおいてユーザ機器ＵＥの少なくとも１つのグループにより用いられ得るリソース識別子ＲＮＴＩであり、ＲＮＴＩは、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を検出するのに用いられる。
【０２０９】
ここで基地局ｅＮＢはロング・ターム・エボリューションｅＮｏｄｅＢ  ＬＴＥ−ｅＮＢ（Ｌｏｎｇ  Ｔｅｒｍ  Ｅｖｏｌｕｔｉｏｎ−ｅＮＢ）であってよく、これは、本発明のこの実施形態において提供される無認可スペクトルを用いて通信を実行する方法の実装を前提とするが、具体的に限定されない。
【０２１０】
時間リソース及び／又は周波数リソースに関する情報は少なくとも以下のものをさらに含む。つまり、ＵＥがアップリンク送信及び／又はダウンリンク送信を実行し得る時間リソース及び／又は周波数リソース。及び／又は、時間リソース及び／又は周波数リソース上で、ＵＥにより用いられる時分割複信ＴＤＤ構成に関する情報である。
【０２１１】
時間リソース及び／又は周波数リソース上でＵＥにより用いられる時分割複信ＴＤＤ構成に関する情報において、ＴＤＤ構成の開始サブフレームが、基地局ｅＮＢによる競合により取得された時間リソース及び／又は周波数リソースの開始位置から開始する。すなわち、ＵＥが時分割複信ＴＤＤ（Ｔｉｍｅ  Ｄｉｖｉｓｉｏｎ  Ｄｕｐｌｅｘｉｎｇ）構成を適用する場合、ＴＤＤの開始位置は、競合により取得された時間リソース及び／又は周波数リソースの開始位置である。
【０２１２】
７０３．基地局ｅＮＢは、時間リソース及び／又は周波数リソースに関する情報を、ブロードキャスト又はマルチキャスト・メッセージを用いてユーザ機器ＵＥに送信する。これにより、ユーザ機器ＵＥは、時間リソース及び／又は周波数リソースに関する情報に従って基地局ｅＮＢと通信する。
【０２１３】
時間リソース及び／又は周波数リソースに関する送信情報は少なくとも以下のものを含む。つまり、時間リソース及び／又は周波数リソースに関する情報の開始時間及び終了時間であり、ここで繰り返しブロードキャスト又はマルチキャストされる時間リソース情報及び／又は周波数リソース情報が同一である場合、時間リソース情報及び／又は周波数リソース情報は、時間リソース期間及び／又は周波数リソース期間内にＵＥ用の時間リソース及び／又は周波数リソースの開始時間及び終了時間を示す。又は、基地局による競合により取得された時間リソース及び／又は周波数リソースにおける残存リソースであり、ここで繰り返しブロードキャスト又はマルチキャストされるリソースメッセージが異なる場合、毎回ブロードキャスト又はマルチキャストされるリソース情報は、競合により取得された現行の時間リソース及び／又は現行の周波数リソースにおける残存リソースを実際に示し、基地局による競合により取得された時間リソース及び／又は周波数リソースは、リソースセグメントの残存部分であってよい。
【０２１４】
任意選択で、基地局ｅＮＢが競合により時間リソース及び／又は周波数リソースを取得しない場合、基地局ｅＮＢは、時間リソース及び／又は周波数リソースに関する情報を送信して、時間リソース及び／又は周波数リソースが競合により取得されないことをＵＥに通知する。
【０２１５】
時間リソース及び／又は周波数リソースに関する情報が、特定の時間範囲内でｅＮＢによる競合により取得されない時間リソース及び／又は周波数リソースを含む場合、ＵＥは、時間リソース及び／又は周波数リソースに関する情報内の取得されなかった時間リソース及び／又は周波数リソースに従って、取得された時間リソース及び／又は周波数リソースを認識する。
【０２１６】
任意選択で、リソースのブロードキャスト又はマルチキャスト・メッセージは、無線リソース制御ＲＲＣ（Ｒａｄｉｏ  Ｒｅｓｏｕｒｃｅ  Ｃｏｎｔｒｏｌ）メッセージ、媒体アクセス制御・制御素子ＭＡＣ−ＣＥ（Ｍｅｄｉａ  Ａｃｃｅｓｓ  Ｃｏｎｔｒｏｌ  Ｃｏｎｔｒｏｌ  Ｅｌｅｍｅｎｔ）メッセージ、又は物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）信号のうちの少なくとも１つである。
【０２１７】
リソースのブロードキャスト又はマルチキャスト・メッセージは、競合により取得されたリソースの有効時間内で繰り返し送信される。
【０２１８】
基地局ｅＮＢが競合により、さらに多くの時間リソース及び／又は周波数リソースを現行の有効リソース上で取得する場合、基地局ｅＮＢは、リソースのブロードキャスト又はマルチキャスト・メッセージを予め設定された回数Ｎだけ繰り返し、次に、競合により取得されたさらに多くの時間リソース及び／又は周波数リソースに従って、競合により取得された時間リソース及び／又は周波数リソースに関する、リソースのブロードキャスト又はマルチキャスト・メッセージに含まれる情報を更新し、リソースのブロードキャスト又はマルチキャスト・メッセージを繰り返し送信し続け得る。
【０２１９】
任意選択で、基地局ｅＮＢにより、時間リソース及び／又は周波数リソースに関する情報を、ブロードキャスト又はマルチキャスト・メッセージを用いてユーザ機器ＵＥに送信することは、以下のことを含む。無認可スペクトルの物理ダウンリンク制御チャネルＰＤＣＣＨ上で、無認可スペクトルを用いるＵＥに、競合により取得された時間リソース及び／又は周波数リソースに関する情報を通知すること。又は、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳ（Ｃｏｍｍｏｎ  Ｓｅａｒｃｈ  Ｓｐａｃｅ）を用いて送信すること。又は、競合により取得された時間リソース及び／又は周波数リソースに関する情報を、少なくとも１つのユーザ機器に、物理ダウンリンク制御チャネルＰＤＣＣＨのユーザ機器ＵＥ探索空間ＵＳＳ（ＵＥ  Ｓｅａｒｃｈ  Ｓｐａｃｅ）を用いて送信する。
【０２２０】
７０４．ユーザ機器ＵＥは、無認可スペクトルにおいて基地局ｅＮＢによる競合により取得された時間リソース及び／又は周波数リソースに関する、基地局により送信される情報を受信する。
【０２２１】
ここで、ユーザ機器ＵＥが、時間リソース及び／又は周波数リソースに関する、基地局ｅＮＢにより送信される情報を受信する前に、ＵＥは、無認可スペクトルのリソース上の時間リソース及び／又は周波数リソースに関する情報についての、基地局ｅＮＢにより割り当てられるパラメータを受信する。時間リソース及び／又は周波数リソースのパラメータは、少なくとも無認可スペクトルの無線ネットワーク一時識別子Ｕ−ＲＮＴＩ（Ｕｎｌｉｃｅｎｓｅｄ−Ｒａｄｉｏ  Ｎｅｔｗｏｒｋ  Ｔｅｍｐｏｒａｒｙ  Ｉｄｅｎｔｉｔｙ）を含み、Ｕ−ＲＮＴＩは、無認可セルにおいてユーザ機器ＵＥの少なくとも１つのグループにより用いられ得るリソース識別子ＲＮＴＩであり、ＲＮＴＩは、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を検出するのに用いられる。
【０２２２】
７０５．ＵＥは、時間リソース及び／又は周波数リソースに関する情報に従って構成情報を決定する。
【０２２３】
ここで、ＵＥが、時間リソース及び／又は周波数リソースに関する情報に従って構成情報を決定することは、具体的には以下の通りである。ＵＥは少なくとも以下の動作を実行して、時間リソース及び／又は周波数リソースに関する情報を取得する。つまり、受信された物理ダウンリンク制御チャネルＰＤＣＣＨスケジューリング信号の開始時点に従って時間リソース及び／又は周波数リソースの有効時間を計算する、又は予め設定された時間に従って時間リソース及び／又は周波数リソースの有効時間を計算する。及び／又は、時間リソース及び／又は周波数リソースに従って、取得された時間リソース及び／又は周波数リソース上で主同期信号ＰＳＳ及び／又は副同期信号ＳＳＳを検出する。主同期信号ＰＳＳ及び／又は副同期信号ＳＳＳの送信は特に開始位置から開始し、現行の開始位置はフレーム０又はサブフレーム０として用いられ得るか、あるいは、前回の競合により取得された時間リソース及び／又は周波数リソースが使い果たされた場合、フレーム番号及びサブフレーム番号は、既存のフレーム番号又はサブフレーム番号に続く。及び／又は、予め設定された間欠受信ＤＲＸパラメータ、並びに時間リソース及び／又は周波数リソースに関する受信された情報に従って、ＤＲＸ起動時間の長さを決定する。特にここで、間欠受信ＤＲＸ（（Ｄｉｓｃｏｎｔｉｎｕｏｕｓ  Ｒｅｃｅｐｔｉｏｎ）構成パラメータ、及びＰＤＣＣＨの新たなデータインジケータに従って、ＤＲＸ期間内にＵＥ用の起動時間を決定した後に、ＵＥは、時間リソース及び／又は周波数リソースに関する、ｅＮＢにより送信される情報において時間リソース及び／又は周波数リソースの時間の長さに従って交差集合を取得する必要があり、次に起動時間の実際の長さを決定する。ＵＥは特に、予め設定されたＤＲＸパラメータ、並びに、ＰＤＣＣＨを介して送信された更新済み時間リソース情報及び／又は周波数リソース情報に従って、ＵＥにより現在必要とされるＤＲＸ起動時間を決定し、次に、時間リソース及び／又は周波数リソースに関する、ｅＮＢにより送信される情報を受信することで、ＵＥにより必要とされるＤＲＸ起動時間を、競合により取得された時間リソース及び／又は周波数リソースの時間の長さと比較し、起動時間の実際の長さを取得するために、時間リソース及び／又は周波数リソースの交差集合、並びにＵＥにより現在必要とされるＤＲＸ起動時間を取得する。及び／又は、予め設定された間欠受信ＤＲＸパラメータ、並びに時間リソース及び／又は周波数リソースに関する受信された情報に従って、ＤＲＸに対応するタイマの動作を決定する。
【０２２４】
時間リソース及び／又は周波数リソースに関する受信された情報内の時間リソース及び／又は周波数リソースの終了時間に達した場合、又は、予め設定された間欠受信ＤＲＸパラメータ、並びに時間リソース及び／又は周波数リソースに関する受信された情報に従って決定されるＤＲＸ起動時間が終了した場合、ＤＲＸに対応する少なくとも１つのタイマが停止又は一時停止され、ＤＲＸに対応するタイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つ又は２つを含む。
【０２２５】
ここで、ＵＥは、時間リソース及び／又は周波数リソースに関する情報に従って、以下の複数の原則のうちの少なくとも１つを観察することで、データを送信する。時間リソース及び／又は周波数リソースに関する情報に従ってＵＥがアップリンクデータを送信する場合、時間リソース及び／又は周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である。及び／又は、時間リソース及び／又は周波数リソースに関する情報に従ってＵＥがダウンリンクデータを受信する場合、時間リソース及び／又は周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又はＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である。
【０２２６】
ここで、基地局が専用ＰＤＣＣＨスケジューリング信号をＵＥに特に送信する場合、基地局はそれに応じて、物理ダウンリンク制御チャネルＰＤＣＣＨスケジューリング信号を少なくとも１つのユーザ機器に送信する。これにより、少なくとも１つのユーザ機器は、ＰＤＣＣＨスケジューリング信号に従って、対応する時間リソース及び／又は周波数リソースに関する情報を取得する。
【０２２７】
７０６．ＵＥは、基地局ｅＮＢにより送信された対応する物理ダウンリンク制御チャネルＰＤＣＣＨ信号を受信する。
【０２２８】
ＰＤＣＣＨ信号は、基地局ｅＮＢによる競合により取得された時間リソース及び／又は周波数リソースに関する情報を取得するようＵＥに命令するのに用いられる。
【０２２９】
７０７．ＵＥは、ＰＤＣＣＨ信号に従って、対応する時間リソース及び／又は周波数リソースに関する情報を取得する。
【０２３０】
ここで、ＵＥは、ｅＮＢにより送信された対応する物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）スケジューリング信号を受信する。ＰＤＣＣＨスケジューリング信号は、ＵＥによりアップリンクデータ及び／又はダウンリンクデータを送信するのに用いられる時間リソース及び／又は周波数リソースに関する情報を含む。ＰＤＣＣＨスケジューリング信号は、無認可セルＵ−Ｃｅｌｌ（Ｕｎｌｉｃｅｎｓｅｄ  Ｃｅｌｌ）において送信され得る、又は認可セルＬ−Ｃｅｌｌ（ｌｉｃｅｎｓｅｄ  Ｃｅｌｌ）において送信され得る。
【０２３１】
本発明のこの実施形態において提供される無認可スペクトルを用いて通信を実行するための方法に従って、基地局ｅＮＢが、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は基地局ｅＮＢにより割り当てられた時間リソース及び／又は周波数リソース上にデータを送信する。それにより、ユーザ機器による無認可スペクトルの使用効率を改善させる。それに応じてユーザ機器が、時間リソース及び／又は周波数リソースに関する情報に従って、内部のＤＲＸ関連タイマを調整する場合、ユーザ機器がローカルなタイミングを無目的に実行する状況が回避され、それにより、ユーザ機器の内部電力消費を低減させる。
［実施形態２］
【０２３２】
図６又は図７に示される実施形態に基づいて、図９を参照すると、本発明の一実施形態が、無認可スペクトルを用いて通信を実行する方法を提供する。図９は、基地局ｅＮＢが、無認可スペクトルを用いる別のシステムと競合することで取得された時間リソース及び／又は周波数リソースを用いて、物理ダウンリンク制御チャネルＰＤＣＣＨ上で待ち受けるためにユーザ機器ＵＥにより必要とされる時間を、時間リソース及び／又は周波数リソースに関する情報の形でユーザ機器ＵＥに送信するプロセスを示す。具体的な段階は以下の通りである。
【０２３３】
８０１．基地局ｅＮＢが、無認可スペクトルを用いる別のｅＮＢ又は別のシステムと競合することで、時間リソース及び／又は周波数リソースを取得する。
【０２３４】
８０２．基地局ｅＮＢは、時間リソース及び／又は周波数リソースに従って、時間リソース及び／又は周波数リソースに関する情報を生成する。
【０２３５】
任意選択で、基地局ｅＮＢが、時間リソース及び／又は周波数リソースに従って、時間リソース及び／又は周波数リソースに関する情報を生成する前に、基地局ｅＮＢは、無認可スペクトルのリソース上の時間リソース及び／又は周波数リソースに関する情報を取得するためのパラメータを、ユーザ機器ＵＥ（Ｕｓｅｒ  Ｅｑｕｉｐｍｅｎｔ）に割り当てる。時間リソース及び／又は周波数リソースに関する情報のパラメータは、少なくとも無認可スペクトルの無線ネットワーク一時識別子Ｕ−ＲＮＴＩ（Ｕｎｌｉｃｅｎｓｅｄ−Ｒａｄｉｏ  Ｎｅｔｗｏｒｋ  Ｔｅｍｐｏｒａｒｙ  Ｉｄｅｎｔｉｔｙ）を含み、Ｕ−ＲＮＴＩは、無認可セルにおいてユーザ機器ＵＥの少なくとも１つのグループにより用いられ得るリソース識別子ＲＮＴＩであり、ＲＮＴＩは、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を検出するのに用いられる。
【０２３６】
ここで基地局ｅＮＢはロング・ターム・エボリューションｅＮｏｄｅＢ  ＬＴＥ−ｅＮＢ（Ｌｏｎｇ  Ｔｅｒｍ  Ｅｖｏｌｕｔｉｏｎ−ｅＮＢ）であってよく、これは、本発明のこの実施形態において提供される無認可スペクトルを用いて通信を実行する方法の実装を前提とするが、具体的に限定されない。
【０２３７】
時間リソース及び／又は周波数リソースに関する情報は少なくとも以下のものをさらに含む。つまり、ＵＥがアップリンク送信及び／又はダウンリンク送信を実行し得る時間リソース及び／又は周波数リソース。及び／又は、時間リソース及び／又は周波数リソース上で、ＵＥにより用いられる時分割複信ＴＤＤ構成に関する情報である。
【０２３８】
時間リソース及び／又は周波数リソース上でＵＥにより用いられる時分割複信ＴＤＤ構成において、ＴＤＤ構成の開始サブフレームが、基地局ｅＮＢによる競合により取得された時間リソース及び／又は周波数リソースの開始位置から開始する。すなわち、ＵＥが時分割複信ＴＤＤ（Ｔｉｍｅ  Ｄｉｖｉｓｉｏｎ  Ｄｕｐｌｅｘｉｎｇ）構成を適用する場合、ＴＤＤの開始位置は、競合により取得された時間リソース及び／又は周波数リソースの開始位置である。
【０２３９】
８０３．基地局ｅＮＢは、時間リソース及び／又は周波数リソースに関する情報を、ブロードキャスト又はマルチキャスト・メッセージを用いてユーザ機器ＵＥに送信する。これにより、ユーザ機器ＵＥは、時間リソース及び／又は周波数リソースに関する情報に従って基地局ｅＮＢと通信する。
【０２４０】
時間リソース及び／又は周波数リソースに関する送信情報は少なくとも以下のものを含む。つまり、時間リソース及び／又は周波数リソースに関する情報の開始時間及び終了時間であり、ここで繰り返しブロードキャスト又はマルチキャストされる時間リソース情報及び／又は周波数リソース情報が同一である場合、時間リソース情報及び／又は周波数リソース情報は、時間リソース期間及び／又は周波数リソース期間内にＵＥ用の時間リソース及び／又は周波数リソースの開始時間及び終了時間を示す。又は、基地局による競合により取得された時間リソース及び／又は周波数リソースであり、基地局による競合により取得された時間リソース及び／又は周波数リソースは、リソースセグメントの残存部分であってよく、ここで繰り返しブロードキャスト又はマルチキャストされるリソースメッセージが異なる場合、毎回ブロードキャスト又はマルチキャストされるリソース情報は、競合により取得された現行の時間リソース及び／又は現行の周波数リソースにおける残存リソースを実際に示す。
【０２４１】
任意選択で、基地局ｅＮＢが競合により時間リソース及び／又は周波数リソースを取得しない場合、基地局ｅＮＢは、時間リソース及び／又は周波数リソースに関する情報を送信して、時間リソース及び／又は周波数リソースが競合により取得されないことをＵＥに通知する。
【０２４２】
時間リソース及び／又は周波数リソースに関する情報が、特定の時間範囲内でｅＮＢによる競合により取得されない時間リソース及び／又は周波数リソースを含む場合、ＵＥは、時間リソース及び／又は周波数リソースに関する情報内の取得されなかった時間リソース及び／又は周波数リソースに従って、取得された時間リソース及び／又は周波数リソースを認識する。
【０２４３】
任意選択で、リソースのブロードキャスト又はマルチキャスト・メッセージは、無線リソース制御ＲＲＣ（Ｒａｄｉｏ  Ｒｅｓｏｕｒｃｅ  Ｃｏｎｔｒｏｌ）メッセージ、媒体アクセス制御・制御素子ＭＡＣ−ＣＥ（Ｍｅｄｉａ  Ａｃｃｅｓｓ  Ｃｏｎｔｒｏｌ  Ｃｏｎｔｒｏｌ  Ｅｌｅｍｅｎｔ）メッセージ、又は物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）信号のうちの少なくとも１つである。
【０２４４】
リソースのブロードキャスト又はマルチキャスト・メッセージは、競合により取得されたリソースの有効時間内で繰り返し送信される。
【０２４５】
基地局ｅＮＢが競合により、さらに多くの時間リソース及び／又は周波数リソースを現行の有効リソース上で取得する場合、基地局ｅＮＢは、リソースのブロードキャスト又はマルチキャスト・メッセージを予め設定された回数Ｎだけ繰り返し、次に、競合により取得されたさらに多くの時間リソース及び／又は周波数リソースに従って、競合により取得された時間リソース及び／又は周波数リソースに関する、リソースのブロードキャスト又はマルチキャスト・メッセージに含まれる情報を更新し、リソースのブロードキャスト又はマルチキャスト・メッセージを繰り返し送信し続け得る。
【０２４６】
基地局ｅＮＢは、時間パターンパラメータ構成メッセージをユーザ機器ＵＥに送信する。
【０２４７】
ここで、時間パターン構成メッセージは、無認可セルにおいてＰＤＣＣＨ信号を待ち受けるための、ｅＮＢによりＵＥに割り当てられる時間パターンパラメータを含む。これにより、ＵＥは、パラメータに従って、無認可セルにおいて基地局ｅＮＢにより送信されたＰＤＣＣＨ信号を待ち受ける時間パターンを決定する。
【０２４８】
ここで、時間リソース及び／又は周波数リソースを競合により取得する場合、基地局ｅＮＢは、無認可セルＵ−ＣｅｌｌにおいてＰＤＣＣＨ上で直近の時間待ち受ける時間内に（すなわち、Ｙミリ秒の時間内に）、競合により取得されたリソースに関する情報をユーザ機器ＵＥに通知する。具体的には、競合により取得されたリソースに関する情報をＹミリ秒の時間内にｅＮＢが送信する時間位置は、ｅＮＢによる競合により取得されたＰＤＣＣＨリソースの位置に従って固定されるものではない。
【０２４９】
ＰＤＣＣＨ上で待ち受ける時間は、予め設定されたＸミリ秒の期間であってよく、ユーザ機器ＵＥは、Ｕ−ＣｅｌｌにおいてＰＤＣＣＨ上でＹミリ秒間、継続的に待ち受けることが必要とされる。具体的には、ｅＮＢが、無認可スペクトルにおいて競合により取得された時間リソース及び／又は周波数リソースに関する情報をＵＥに割り当てる場合、ｅＮＢは、時間リソース及び／又は周波数リソースに関する情報のパラメータ、すなわち上述のＸ及び／又はＹの値をＵＥに割り当てる。例えば、ｅＮＢは、Ｕ−ＣｅｌｌにおいてＰＤＣＣＨ上で、50ミリ秒の期間おきに５ミリ秒間待ち受けるようＵＥに命令し得る。ここで、Ｘが５０ミリ秒、Ｙが５ミリ秒であり、Ｘ及びＹは、時間リソース及び／又は周波数リソースに関する情報を用いてＵＥに送信される。
【０２５０】
任意選択で、基地局ｅＮＢは、無認可スペクトルの物理ダウンリンク制御チャネルＰＤＣＣＨ上で、無認可スペクトルを用いるＵＥに、競合により取得された時間リソース及び／又は周波数リソースに関する情報を通知する。又は、基地局ｅＮＢは、競合により取得された時間リソース及び／又は周波数リソースに関する情報を、全てのユーザ機器又はユーザ機器ＵＥのグループに、物理ダウンリンク制御チャネルＰＤＣＣＨの共通探索空間ＣＳＳ（Ｃｏｍｍｏｎ  Ｓｅａｒｃｈ  Ｓｐａｃｅ）を用いて送信し、具体的には、５ミリ秒の時間内に、基地局ｅＮＢは、競合により取得された時間リソース及び／又は周波数リソースに関する情報を、全ての無認可セルＵ−Ｃｅｌｌ（Ｕｎｌｉｃｅｎｓｅｄ  Ｃｅｌｌ）のＵＥに、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）のＣＳＳを用いて送信し得るか、又は、競合により取得された時間リソース及び／又は周波数リソースを対応するＵＥに、ＰＤＣＣＨのＵＳＳを用いて割り当て得る。又は、基地局ｅＮＢは、競合により取得された時間リソース及び／又は周波数リソースに関する情報を、少なくとも１つのユーザ機器ＵＥに、物理ダウンリンク制御チャネルＰＤＣＣＨのユーザ機器ＵＥ探索空間ＵＳＳ（ＵＥ  Ｓｅａｒｃｈ  Ｓｐａｃｅ）を用いて送信する。
【０２５１】
８０４．ユーザ機器ＵＥは、無認可スペクトルにおいて基地局ｅＮＢによる競合により取得された時間リソース及び／又は周波数リソースに関する、基地局により送信される情報を受信する。
【０２５２】
８０５．ユーザ機器ＵＥは、無認可セルにおいてＰＤＣＣＨチャネル上で待ち受ける時間パターンを決定する。
【０２５３】
ＵＥは、システムに予め設定された時間パターンパラメータ値に従って、無認可セルにおいてＰＤＣＣＨ信号を待ち受ける時間を決定する。又は、ＵＥは、ｅＮＢにより送信された時間パターンパラメータ構成メッセージを受信し、時間パターン構成メッセージは、無認可セルにおいてＰＤＣＣＨ信号を待ち受けるための、ｅＮＢによりＵＥに割り当てられる時間パターンパラメータを含む。
【０２５４】
８０６．ユーザ機器ＵＥは、決定された時間パターンに従って、無認可セルにおいて基地局ｅＮＢにより送信されたＰＤＣＣＨ信号を待ち受ける。
【０２５５】
ＰＤＣＣＨ信号は、無認可スペクトルにおいてｅＮＢによる競合により取得された時間リソース及び／又は周波数リソースに関する情報を含む。
【０２５６】
ここで、時間リソース及び／又は周波数リソースに関する、基地局ｅＮＢにより送信される情報を受信した後に、ユーザ機器ＵＥは、時間リソース及び／又は周波数リソースに関する情報に従って、無認可セルＵ−ＣｅｌｌにおいてＰＤＣＣＨ上で待ち受ける指示時間Ｙミリ秒を取得し、この指示時間に従って無認可セル上で待ち受ける。
【０２５７】
ここで、ＵＥは、ｅＮＢにより送信された対応する物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）スケジューリング信号を受信する。ＰＤＣＣＨスケジューリング信号は、ＵＥによりアップリンクデータ及び／又はダウンリンクデータを送信するのに用いられる時間リソース及び／又は周波数リソースに関する情報を含む。ＰＤＣＣＨスケジューリング信号は、無認可セルＵ−Ｃｅｌｌ（Ｕｎｌｉｃｅｎｓｅｄ  Ｃｅｌｌ）において送信され得る、又は認可セルＬ−Ｃｅｌｌ（ｌｉｃｅｎｓｅｄ  Ｃｅｌｌ）において送信され得る。
【０２５８】
さらに、時間リソース及び／又は周波数リソース上でＵＥにより用いられる時分割複信ＴＤＤ構成において、ＴＤＤ構成の開始フレーム及び／又は開始サブフレームの開始位置が、基地局ｅＮＢによる競合により取得された時間リソース及び／又は周波数リソースの開始位置から開始する。
【０２５９】
開始フレーム及び／又は開始サブフレームは、フレーム０及び／又はサブフレーム０として決定される。又は、競合により取得された時間リソース及び／又は周波数リソースの開始位置のフレーム番号及びサブフレーム番号が、前回の競合により取得されたリソース上の最後のフレーム番号及び／又は最後のサブフレーム番号に続いてカウントされる。
【０２６０】
本発明のこの実施形態において提供される無認可スペクトルを用いて通信を実行するための方法に従って、基地局ｅＮＢが、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は基地局ｅＮＢにより割り当てられた時間リソース及び／又は周波数リソース上にデータを送信する。それにより、ユーザ機器による無認可スペクトルの使用効率を改善させる。ユーザ機器が、時間リソース及び／又は周波数リソースに関する情報に従って、ＰＤＣＣＨ上で待ち受ける時間を決定する場合、ＵＥが無認可セルＵ−Ｃｅｌｌ上で無目的に待ち受けるという問題が回避され、それにより、ユーザ機器の内部電力消費を低減させる。
【０２６１】
本発明の一実施形態が通信システム９を提供する。図１０を参照すると、通信システム９は、基地局ｅＮＢ９１及び少なくとも１つのユーザ機器ＵＥ９２を含む。基地局ｅＮＢ９１は、図１及び図２に示される基地局ｅＮＢであり、ユーザ機器ＵＥ９２は、図３に示されるユーザ機器ＵＥである。又は、基地局ｅＮＢ９１は、図４に示される基地局ｅＮＢであり、ユーザ機器ＵＥ９２は、図５に示されるユーザ機器ＵＥである。
【０２６２】
本発明のこの実施形態において提供される通信システムに従って、基地局ｅＮＢは、無認可スペクトルを用いる別のシステムと競合することで取得された時間リソース及び／又は周波数リソースを用いて、時間リソース及び／又は周波数リソースに関する情報を生成し、時間リソース及び／又は周波数リソースに関する情報をユーザ機器に送信する。これにより、ユーザ機器は、基地局ｅＮＢにより割り当てられた時間リソース及び／又は周波数リソース上にデータを送信する。それにより、ユーザ機器による無認可スペクトルの使用効率を改善させる。
【０２６３】
上述の実施形態の説明があれば、当業者は、本発明がハードウェア、ファームウエア、又はそれらの組み合わせにより実装され得ることを明確に理解し得る。本発明がソフトウェアにより実装される場合、上述の機能は、コンピュータ可読媒体に格納され得る、あるいはコンピュータ可読媒体内の１又は複数の命令又はコードとして送信され得る。コンピュータ可読媒体は、コンピュータ記憶媒体および通信媒体を含み、通信媒体は、コンピュータプログラムがある場所から別の場所に送信されることを可能にする任意の媒体を含む。記憶媒体は、コンピュータにアクセス可能な任意の利用可能な媒体であってよい。以下に例示を提供するが、制限を課すものではない。コンピュータ可読媒体は、ＲＡＭ、ＲＯＭ、ＥＥＰＲＯＭ、ＣＤ‐ＲＯＭ、あるいは別の光ディスク記憶装置又はディスク記憶媒体、あるいは別の磁気記憶デバイス、あるいは予期されるプログラムコードを命令又はデータ構造の形で搬送又は格納することが可能で、コンピュータによりアクセス可能な任意の他の媒体を含んでよい。さらに、任意の接続が、コンピュータ可読媒体として適切に定義されてよい。例えば、ソフトウェアがウェブサイト、サーバ、又は別のリモートソースから、同軸ケーブル、光ファイバ／ケーブル、ツイストペア、デジタル加入者線（ＤＳＬ）、又は、赤外線、無線、及びマイクロ波などの無線技術を用いて送信される場合、同軸ケーブル、光ファイバ／ケーブル、ツイストペア、ＤＳＬ、又は、赤外線、無線、及びマイクロ波などの無線技術は、それらが属する固定媒体に含まれる。例えば、本発明により用いられるディスク（Ｄｉｓｋ）及びディスク（ｄｉｓｃ）は、コンパクトディスクＣＤ、レーザディスク、光ディスク、デジタル多用途ディスク（ＤＶＤ）、フロッピー（登録商標）ディスク、及びブルーレイディスクを含み、ディスク（ｄｉｓｋ）は概して磁気的手法によりデータをコピーし、ディスク（ｄｉｓｃ）はレーザ手法により光学的にデータをコピーする。上述の組み合わせも、コンピュータ可読媒体の保護範囲に含まれるべきである。
【０２６４】
要約すると、上述されていることは、本発明の技術的解決法の例示的な実施形態にすぎず、本発明の保護範囲を限定することを意図しない。本発明の趣旨および原則から逸脱することなく行われた任意の変更、均等な置換、又は改良は、本発明の保護範囲内に含まれるものとする。
（項目１）
基地局であって、
無認可スペクトルを用いる別のｅＮＢ又は別のシステムと競合することで、時間リソース及び／又は周波数リソースを取得するよう構成された競合ユニットと、
上記競合ユニットによる競合により取得された上記時間リソース及び／又は上記周波数リソースに従って、上記時間リソース及び／又は上記周波数リソースに関する情報を生成するよう構成された生成ユニットと、
上記時間リソース及び／又は上記周波数リソースに関する、上記生成ユニットにより生成される上記情報を、ブロードキャスト又はマルチキャスト・メッセージを用いてユーザ機器ＵＥに送信するよう構成され、これにより、上記ユーザ機器ＵＥは、上記時間リソース及び／又は上記周波数リソースに関する上記情報に従って上記基地局ｅＮＢと通信する、送信ユニットと、
を備える、
基地局。
（項目２）
上記時間リソース及び／又は上記周波数リソースに関する上記情報が、上記ブロードキャスト又はマルチキャスト・メッセージを用いて上記ユーザ機器ＵＥに送信される前に、上記無認可スペクトルのリソース上で上記ｅＮＢによる競合により取得された上記時間リソース及び／又は上記周波数リソースを取得するためのパラメータを、上記ユーザ機器ＵＥに割り当てるよう構成された割り当てユニットをさらに備え、
上記パラメータは、少なくとも無認可スペクトルの無線ネットワーク一時識別子Ｕ−ＲＮＴＩを含み、上記Ｕ−ＲＮＴＩは、物理ダウンリンク制御チャネルＰＤＣＣＨを検出するのに用いられる、
項目１に記載の基地局。
（項目３）
上記時間リソース及び／又は上記周波数リソースに関する上記情報は少なくとも、上記無認可スペクトルのリソース上の上記時間リソース及び／又は上記周波数リソースの上記パラメータを含む、
項目１又は２に記載の基地局。
（項目４）
上記時間リソース及び／又は上記周波数リソースに関する上記情報は少なくとも、上記時間リソース及び／又は上記周波数リソースの開始時間及び終了時間、又は、上記基地局による競合により取得された上記時間リソース及び／又は上記周波数リソースを含む、
項目１に記載の基地局。
（項目５）
上記送信ユニットはさらに、
上記基地局ｅＮＢが競合により時間リソース及び／又は周波数リソースを取得しない場合、上記時間リソース及び／又は上記周波数リソースに関する上記情報を送信して、時間リソース及び／又は周波数リソースが競合により取得されないことを上記ＵＥに通知するよう特に構成される、
項目１に記載の基地局。
（項目６）
上記時間リソース及び／又は上記周波数リソースに関する上記情報は、
上記ＵＥがアップリンク送信及び／又はダウンリンク送信を実行し得る時間リソース及び／又は周波数リソース、及び／又は、
上記時間リソース及び／又は上記周波数リソース上で上記ＵＥにより用いられる時分割複信ＴＤＤ構成に関する情報をさらに含む、
項目１又は４に記載の基地局。
（項目７）
上記時間リソース及び／又は上記周波数リソース上で上記ＵＥにより用いられる上記時分割複信ＴＤＤ構成に関する上記情報において、上記ＴＤＤ構成の開始サブフレームの開始位置は、上記基地局ｅＮＢによる競合により取得された上記時間リソース及び／又は上記周波数リソースの開始位置から開始する、
項目６に記載の基地局。
（項目８）
リソースの上記ブロードキャスト又はマルチキャスト・メッセージは、無線リソース制御ＲＲＣメッセージ、媒体アクセス制御・制御素子ＭＡＣ−ＣＥメッセージ、又は物理ダウンリンク制御チャネルＰＤＣＣＨ信号のうちの少なくとも１つである、
項目１に記載の基地局。
（項目９）
上記送信ユニットはさらに、
上記無認可スペクトルの物理ダウンリンク制御チャネルＰＤＣＣＨ上で、上記無認可スペクトルを用いる上記ＵＥに、競合により取得された上記時間リソース及び／又は上記周波数リソースに関する上記情報を通知する、又は、
競合により取得された上記時間リソース及び／又は上記周波数リソースに関する上記情報を、物理ダウンリンク制御チャネルＰＤＣＣＨの共通探索空間ＣＳＳを用いて全てのユーザ機器又はユーザ機器ＵＥのグループに送信する、又は、
競合により取得された上記時間リソース及び／又は上記周波数リソースに関する上記情報を、物理ダウンリンク制御チャネルＰＤＣＣＨのユーザ機器ＵＥ探索空間ＵＳＳを用いて少なくとも１つのユーザ機器ＵＥに送信するよう特に構成される、
項目１に記載の基地局。
（項目１０）
上記送信ユニットはさらに、
上記無認可スペクトルの上記物理ダウンリンク制御チャネルＰＤＣＣＨ上で、競合により取得された上記時間リソース及び／又は上記周波数リソースに関する上記情報を上記ＵＥに通知する前に、時間パターン構成メッセージを上記ＵＥに送信するよう特に構成され、
上記時間パターン構成メッセージは、無認可セルにおいてＰＤＣＣＨ信号を待ち受けるための、上記ｅＮＢにより上記ＵＥに割り当てられる時間パターンパラメータを含み、これにより、上記ＵＥは、上記時間パターンパラメータに従って、上記無認可セル内において上記基地局ｅＮＢにより送信されるＰＤＣＣＨ信号を待ち受ける時間パターンを決定する、
項目９に記載の基地局。
（項目１１）
リソースの上記ブロードキャスト又はマルチキャスト・メッセージは、競合により取得されたリソースの有効時間内で繰り返し送信される、
項目１に記載の基地局。
（項目１２）
ユーザ機器であって、
無認可スペクトルにおいて基地局ｅＮＢによる競合により取得された時間リソース及び／又は周波数リソースに関する、上記基地局により送信される情報を受信するよう構成された受信ユニットと、
上記時間リソース及び／又は上記周波数リソースに関する、上記受信ユニットにより受信される上記情報に従って、上記基地局ｅＮＢと通信するよう構成された送信ユニットと、
を備える、
ユーザ機器。
（項目１３）
上記受信ユニットは、上記無認可スペクトルにおいて上記基地局ｅＮＢによる競合により取得された上記時間リソース及び／又は上記周波数リソースに関する、上記基地局により送信される上記情報を受信する前に、上記無認可スペクトルのリソース上で競合により取得された上記時間リソース及び／又は上記周波数リソースについての、上記基地局ｅＮＢにより割り当てられるパラメータを受信するようさらに構成され、
上記パラメータは、少なくとも無認可スペクトルの無線ネットワーク一時識別子Ｕ−ＲＮＴＩを含み、上記Ｕ−ＲＮＴＩは、物理ダウンリンク制御チャネルＰＤＣＣＨを検出するよう上記ＵＥに命令するのに用いられる、
項目１２に記載のユーザ機器。
（項目１４）
上記時間リソース及び／又は上記周波数リソースに関する上記情報は少なくとも、上記無認可スペクトルのリソース上の上記時間リソース及び／又は上記周波数リソースの上記パラメータを含む、
項目１２又は１３に記載のユーザ機器。
（項目１５）
上記時間リソース及び／又は上記周波数リソースに関する上記情報は少なくとも、
上記時間リソース及び／又は上記周波数リソースの開始時間及び終了時間、又は、
上記基地局による競合により取得された上記時間リソース及び／又は上記周波数リソースを含む、
項目１２に記載のユーザ機器。
（項目１６）
上記受信ユニットはさらに、
上記基地局ｅＮＢが競合により時間リソース及び／又は周波数リソースを取得しない場合、上記時間リソース及び／又は上記周波数リソースに関する上記情報を受信して、上記基地局ｅＮＢが競合により時間リソース及び／又は周波数リソースを取得しないことを認識するよう特に構成される、
項目１２に記載のユーザ機器。
（項目１７）
上記送信ユニットは、
上記時間リソース及び／又は上記周波数リソースに関する上記情報に従って構成情報を決定するよう特に構成され、
上記ＵＥは少なくとも以下の動作を実行して、上記時間リソース及び／又は上記周波数リソースに関する上記情報に従って上記構成情報を決定し、
上記少なくとも以下の動作とは、
受信された物理ダウンリンク制御チャネルＰＤＣＣＨスケジューリング信号の開始時点に従って上記時間リソース及び／又は上記周波数リソースの有効時間を計算すること、又は、予め設定された時間に従って上記時間リソース及び／又は上記周波数リソースの有効時間を計算すること、及び／又は、
上記時間リソース及び／又は上記周波数リソースに従って、上記取得された時間リソース及び／又は周波数リソース上で主同期信号ＰＳＳ及び／又は副同期信号ＳＳＳを検出すること、及び／又は、
予め設定された間欠受信ＤＲＸパラメータ、並びに上記時間リソース及び／又は上記周波数リソースに関する受信された上記情報に従って、ＤＲＸ起動時間の長さを決定すること、及び／又は、
上記予め設定された間欠受信ＤＲＸパラメータ、並びに上記時間リソース及び／又は上記周波数リソースに関する受信された上記情報に従って、ＤＲＸに対応するタイマの動作を決定することである、
項目１２に記載のユーザ機器。
（項目１８）
上記送信ユニットはさらに、
上記時間リソース及び／又は上記周波数リソースに関する受信された上記情報内の上記時間リソース及び／又は上記周波数リソースの終了時間に達した場合、又は、上記予め設定された間欠受信ＤＲＸパラメータ、並びに上記時間リソース及び／又は上記周波数リソースに関する受信された上記情報に従って決定された上記ＤＲＸ起動時間が終了した場合、上記ＤＲＸに対応する少なくとも１つのタイマを停止又は一時停止するよう特に構成され、
上記ＤＲＸに対応する上記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
項目１７に記載のユーザ機器。
（項目１９）
上記送信ユニットはさらに、
上記ＵＥが、競合により取得された新たな時間リソース及び／又は新たな周波数リソースに関する、上記ｅＮＢにより通知される情報を受信する場合、停止又は一時停止したＤＲＸ関連のタイマである上記オンデュレーション・タイマ、上記ＤＲＸ起動時間タイマ、上記ＤＲＸ再送信タイマ、上記ＤＲＸ短周期タイマ、又は上記ＤＲＸ長周期タイマのうちの少なくとも１つを、競合により取得された上記新たな時間リソース及び／又は上記新たな周波数リソースの開始時間位置において、又は予め設定された時間内に、又は上記予め設定された間欠受信ＤＲＸパラメータ、並びに上記時間リソース及び／又は上記周波数リソースに関する受信された上記情報に従って決定された上記ＤＲＸ起動時間の開始位置において、開始又は再開するよう特に構成される、
項目１７又は１８に記載のユーザ機器。
（項目２０）
上記ＰＳＳ及び／又は上記ＳＳＳの送信タイミングの開始位置が、競合により取得された上記時間リソース及び／又は上記周波数リソースの開始位置から開始する、
項目１７に記載のユーザ機器。
（項目２１）
上記送信ユニットはさらに、
競合により取得された上記時間リソース及び／又は上記周波数リソースの上記開始位置を、フレーム０及び／又はサブフレーム０として用いる、又は
前回の競合により取得されたリソース上の最後のフレーム番号及び／又は最後のサブフレーム番号に続いて、競合により取得された上記時間リソース及び／又は上記周波数リソースの上記開始位置のフレーム番号及びサブフレーム番号をカウントするよう特に構成された、
項目２０に記載のユーザ機器。
（項目２２）
上記送信ユニットはさらに、
上記時間リソース及び／又は上記周波数リソースに関する上記情報に従って、以下の複数の原則のうちの少なくとも１つを観察することでデータを送信するよう特に構成され、
上記以下の複数の原則とは、
上記時間リソース及び／又は上記周波数リソースに関する上記情報に従って上記ＵＥがアップリンクデータを送信する場合、上記時間リソース及び／又は上記周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である、及び／又は、
上記時間リソース及び／又は上記周波数リソースに関する上記情報に従って上記ＵＥがダウンリンクデータを受信する場合、上記時間リソース及び／又は上記周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又は上記ＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である、
項目１２に記載のユーザ機器。
（項目２３）
上記受信ユニットは、
上記基地局ｅＮＢにより送信された対応する物理ダウンリンク制御チャネルＰＤＣＣＨ信号を受信し、上記ＰＤＣＣＨ信号は、上記基地局ｅＮＢによる競合により取得された上記時間リソース及び／又は上記周波数リソースに関する情報を取得するよう上記ＵＥに命令するのに用いられ、
上記ＰＤＣＣＨ信号に従って対応する時間リソース及び／又は周波数リソースに関する上記情報を取得するようさらに構成される、
項目１２に記載のユーザ機器。
（項目２４）
上記受信ユニットはさらに、
無認可セルにおいてＰＤＣＣＨチャネル上で待ち受ける時間パターンを決定し、
上記決定された時間パターンに従って、上記無認可セルにおいて上記基地局ｅＮＢにより送信されたＰＤＣＣＨ信号を待ち受けるよう特に構成され、
上記ＰＤＣＣＨ信号は、上記無認可スペクトルにおいて上記ｅＮＢによる競合により取得された上記時間リソース及び／又は上記周波数リソースに関する上記情報を含む、
項目１２に記載のユーザ機器。
（項目２５）
上記送信ユニットはさらに、
システムにおいて予め設定された時間パターンパラメータ値に従って、上記無認可セルにおいて上記ＰＤＣＣＨ信号を待ち受ける時間を決定する、又は、
上記ｅＮＢにより送信された時間パターンパラメータ構成メッセージを受信するよう特に構成され、
上記時間パターン構成メッセージは、上記無認可セルにおいて上記ＰＤＣＣＨ信号を待ち受けるための、上記ｅＮＢにより上記ＵＥに割り当てられる時間パターンパラメータを含む、
項目２４に記載のユーザ機器。
（項目２６）
上記時間リソース及び／又は上記周波数リソースに関する上記情報は少なくとも、
上記ＵＥがアップリンク送信及び／又はダウンリンク送信を実行し得る時間リソース及び／又は周波数リソース、及び／又は、
上記時間リソース及び／又は上記周波数リソース上で上記ＵＥにより用いられる時分割複信ＴＤＤ構成に関する情報をさらに含む、
項目１２に記載のユーザ機器。
（項目２７）
上記時間リソース及び／又は上記周波数リソース上で上記ＵＥにより用いられる上記時分割複信ＴＤＤ構成に関する上記情報において、上記ＴＤＤ構成の開始フレーム及び／又は開始サブフレームの開始位置は、上記基地局ｅＮＢによる競合により取得された上記時間リソース及び／又は上記周波数リソースの開始位置から開始する、
項目２６に記載のユーザ機器。
（項目２８）
データバスを用いて接続されるプロセッサ及びメモリと、上記プロセッサ及び上記メモリに別々に接続される少なくとも１つの通信インタフェースとを備え、
上記プロセッサは、無認可スペクトルを用いる別のｅＮＢ又は別のシステムと競合することで、時間リソース及び／又は周波数リソースを取得するよう構成され、
上記プロセッサは、上記時間リソース及び／又は上記周波数リソースに従って上記時間リソース及び／又は上記周波数リソースに関する情報を生成するようさらに構成され、
上記プロセッサは、上記時間リソース及び／又は上記周波数リソースに関する上記情報を、ブロードキャスト又はマルチキャスト・メッセージ、及び上記少なくとも１つの通信インタフェースを用いてユーザ機器ＵＥに送信するようさらに構成され、これにより、上記ユーザ機器ＵＥは、上記時間リソース及び／又は上記周波数リソースに関する上記情報に従って上記基地局ｅＮＢと通信する、
基地局。
（項目２９）
上記プロセッサは、
上記時間リソース及び／又は上記周波数リソースに関する上記情報が、上記ブロードキャスト又はマルチキャスト・メッセージ、及び上記少なくとも１つの通信インタフェースを用いて上記ユーザ機器ＵＥに送信される前に、上記無認可スペクトルのリソース上で上記ｅＮＢによる競合により取得された上記時間リソース及び／又は上記周波数リソースを取得するためのパラメータを上記ユーザ機器ＵＥに割り当てるようさらに構成され、
上記パラメータは、少なくとも無認可スペクトルの無線ネットワーク一時識別子Ｕ−ＲＮＴＩを含み、上記Ｕ−ＲＮＴＩは、物理ダウンリンク制御チャネルＰＤＣＣＨを検出するのに用いられる、
項目２８に記載の基地局。
（項目３０）
上記時間リソース及び／又は上記周波数リソースに関する上記情報は少なくとも、上記無認可スペクトルのリソース上の上記時間リソース及び／又は上記周波数リソースの上記パラメータを含む、
項目２８又は２９に記載の基地局。
（項目３１）
上記時間リソース及び／又は上記周波数リソースに関する上記情報は少なくとも、
上記時間リソース及び／又は上記周波数リソースの開始時間及び終了時間、又は、
上記基地局による競合により取得された上記時間リソース及び／又は上記周波数リソースを含む、
項目２８に記載の基地局。
（項目３２）
上記プロセッサは、
上記基地局ｅＮＢが競合により時間リソース及び／又は周波数リソースを取得しない場合、上記時間リソース及び／又は上記周波数リソースに関する上記情報を、上記少なくとも１つの通信インタフェースを用いて送信し、時間リソース及び／又は周波数リソースが競合により取得されないことを上記ＵＥに通知するようさらに構成される、
項目２８に記載の基地局。
（項目３３）
上記時間リソース及び／又は上記周波数リソースに関する上記情報は、
上記ＵＥがアップリンク送信及び／又はダウンリンク送信を実行し得る時間リソース及び／又は周波数リソース、及び／又は、
上記時間リソース及び／又は上記周波数リソース上で上記ＵＥにより用いられる時分割複信ＴＤＤ構成に関する情報をさらに含む、
項目２８又は３１に記載の基地局。
（項目３４）
上記時間リソース及び／又は上記周波数リソース上で上記ＵＥにより用いられる上記時分割複信ＴＤＤ構成に関する上記情報において、上記ＴＤＤ構成の開始サブフレームの開始位置は、上記基地局ｅＮＢによる競合により取得された上記時間リソース及び／又は上記周波数リソースの開始位置から開始する、
項目３３に記載の基地局。
（項目３５）
リソースの上記ブロードキャスト又はマルチキャスト・メッセージは、無線リソース制御ＲＲＣメッセージ、媒体アクセス制御・制御素子ＭＡＣ−ＣＥメッセージ、又は物理ダウンリンク制御チャネルＰＤＣＣＨ信号のうちの少なくとも１つである、
項目２８に記載の基地局。
（項目３６）
上記プロセッサはさらに、
上記無認可スペクトルの物理ダウンリンク制御チャネルＰＤＣＣＨ上で、上記無認可スペクトルを用いる上記ＵＥに、競合により取得された上記時間リソース及び／又は上記周波数リソースに関する上記情報を通知する、又は、
競合により取得された上記時間リソース及び／又は上記周波数リソースに関する上記情報を、全てのユーザ機器又はユーザ機器ＵＥのグループに、物理ダウンリンク制御チャネルＰＤＣＣＨの共通探索空間ＣＳＳ、及び上記少なくとも１つの通信インタフェースを用いて送信する、又は、
競合により取得された上記時間リソース及び／又は上記周波数リソースに関する上記情報を、少なくとも１つのユーザ機器ＵＥに、物理ダウンリンク制御チャネルＰＤＣＣＨのユーザ機器ＵＥ探索空間ＵＳＳ、及び上記少なくとも１つの通信インタフェースを用いて送信するよう特に構成される、
項目２８に記載の基地局。
（項目３７）
上記プロセッサはさらに、
上記無認可スペクトルの上記物理ダウンリンク制御チャネルＰＤＣＣＨ上で、上記少なくとも１つの通信インタフェースを用いて、競合により取得された上記時間リソース及び／又は上記周波数リソースに関する上記情報を上記ＵＥに通知する前に、時間パターン構成メッセージを上記ＵＥに送信するよう特に構成され、
上記時間パターン構成メッセージは、無認可セルにおいてＰＤＣＣＨ信号を待ち受けるための、上記ｅＮＢにより上記ＵＥに割り当てられる時間パターンパラメータを含み、これにより、上記ＵＥは、上記時間パターンパラメータに従って、上記無認可セルにおいて上記基地局ｅＮＢにより送信されたＰＤＣＣＨ信号を待ち受ける時間パターンを決定する、
項目３６に記載の基地局。
（項目３８）
リソースの上記ブロードキャスト又はマルチキャスト・メッセージは、競合により取得されたリソースの有効時間内で繰り返し送信される、
項目２８に記載の基地局。
（項目３９）
データバスを用いて接続されるプロセッサ及びメモリと、上記プロセッサ及び上記メモリに別々に接続される少なくとも１つの通信インタフェースとを備え、
上記プロセッサは、上記少なくとも１つの通信インタフェースを用いて、無認可スペクトルにおいて基地局ｅＮＢによる競合により取得された時間リソース及び／又は周波数リソースに関する、上記基地局により送信される情報を受信するよう構成され、
上記プロセッサは、上記時間リソース及び／又は上記周波数リソースに関する上記情報に従って、上記少なくとも１つの通信インタフェースを用いて上記基地局ｅＮＢと通信するようさらに構成される、
ユーザ機器。
（項目４０）
上記プロセッサは、
上記少なくとも１つの通信インタフェースを用いて、上記無認可スペクトルにおいて上記基地局ｅＮＢによる競合により取得された上記時間リソース及び／又は上記周波数リソースに関する、上記基地局により送信される情報を受信する前に、上記少なくとも１つの通信インタフェースを用いて、上記無認可スペクトルのリソース上で競合により取得された上記時間リソース及び／又は上記周波数リソースについての、上記基地局ｅＮＢにより割り当てられるパラメータを受信するようさらに構成され、
上記パラメータは、少なくとも無認可スペクトルの無線ネットワーク一時識別子Ｕ−ＲＮＴＩを含み、上記Ｕ−ＲＮＴＩは、物理ダウンリンク制御チャネルＰＤＣＣＨを検出するよう上記ＵＥに命令するのに用いられる、
項目３９に記載のユーザ機器。
（項目４１）
上記時間リソース及び／又は上記周波数リソースに関する上記情報は少なくとも、上記無認可スペクトルのリソース上の上記時間リソース及び／又は上記周波数リソースの上記パラメータを含む、
項目３９又は４０に記載のユーザ機器。
（項目４２）
上記時間リソース及び／又は上記周波数リソースに関する上記情報は少なくとも、
上記時間リソース及び／又は上記周波数リソースの開始時間及び終了時間、又は、
上記基地局による競合により取得された上記時間リソース及び／又は上記周波数リソースを含む、
項目３９に記載のユーザ機器。
（項目４３）
上記プロセッサは、
上記基地局ｅＮＢが競合により時間リソース及び／又は周波数リソースを取得しない場合、上記少なくとも１つの通信インタフェースを用いて上記時間リソース及び／又は上記周波数リソースに関する上記情報を受信して、上記基地局ｅＮＢが競合により時間リソース及び／又は周波数リソースを取得しないことを認識するようさらに構成される、
項目３９に記載のユーザ機器。
（項目４４）
上記プロセッサは、
上記時間リソース及び／又は上記周波数リソースに関する上記情報に従って構成情報を決定するよう特に構成され、
上記ＵＥは少なくとも以下の動作を実行して、上記時間リソース及び／又は上記周波数リソースに関する上記情報に従って上記構成情報を決定し、
上記少なくとも以下の動作とは、
受信された物理ダウンリンク制御チャネルＰＤＣＣＨスケジューリング信号の開始時点に従って上記時間リソース及び／又は上記周波数リソースの有効時間を計算すること、又は、予め設定された時間に従って上記時間リソース及び／又は上記周波数リソースの有効時間を計算すること、及び／又は、
上記時間リソース及び／又は上記周波数リソースに従って、上記取得された時間リソース及び／又は周波数リソース上で主同期信号ＰＳＳ及び／又は副同期信号ＳＳＳを検出すること、及び／又は、
予め設定された間欠受信ＤＲＸパラメータ、並びに上記時間リソース及び／又は上記周波数リソースに関する受信された上記情報に従って、ＤＲＸ起動時間の長さを決定すること、及び／又は、
上記予め設定された間欠受信ＤＲＸパラメータ、並びに上記時間リソース及び／又は上記周波数リソースに関する受信された上記情報に従って、ＤＲＸに対応するタイマの動作を決定することである、
項目３９に記載のユーザ機器。
（項目４５）
上記プロセッサはさらに、
上記時間リソース及び／又は上記周波数リソースに関する受信された上記情報内の上記時間リソース及び／又は上記周波数リソースの終了時間に達した場合、又は、上記予め設定された間欠受信ＤＲＸパラメータ、並びに上記時間リソース及び／又は上記周波数リソースに関する受信された上記情報に従って決定された上記ＤＲＸ起動時間が終了した場合、上記ＤＲＸに対応する少なくとも１つのタイマを停止又は一時停止するよう特に構成され、
上記ＤＲＸに対応する上記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
項目４４に記載のユーザ機器。
（項目４６）
上記プロセッサはさらに、
上記ＵＥが、競合により取得された新たな時間リソース及び／又は新たな周波数リソースに関する、上記ｅＮＢにより通知される情報を受信する場合、停止又は一時停止したＤＲＸ関連のタイマである上記オンデュレーション・タイマ、上記ＤＲＸ起動時間タイマ、上記ＤＲＸ再送信タイマ、上記ＤＲＸ短周期タイマ、又は上記ＤＲＸ長周期タイマのうちの少なくとも１つを、競合により取得された上記新たな時間リソース及び／又は上記新たな周波数リソースの開始時間位置において、又は予め設定された時間内に、又は上記予め設定された間欠受信ＤＲＸパラメータ、並びに上記時間リソース及び／又は上記周波数リソースに関する受信された上記情報に従って決定された上記ＤＲＸ起動時間の開始位置において、開始又は再開するよう特に構成される、
項目４４又は４５に記載のユーザ機器。
（項目４７）
上記ＰＳＳ及び／又は上記ＳＳＳの送信タイミングの開始位置が、競合により取得された上記時間リソース及び／又は上記周波数リソースの開始位置から開始する、
項目４４に記載のユーザ機器。
（項目４８）
上記プロセッサはさらに、
競合により取得された上記時間リソース及び／又は上記周波数リソースの上記開始位置を、フレーム０及び／又はサブフレーム０として用いる、又は
前回の競合により取得されたリソース上の最後のフレーム番号及び／又は最後のサブフレーム番号に続いて、競合により取得された上記時間リソース及び／又は上記周波数リソースの上記開始位置のフレーム番号及びサブフレーム番号をカウントするよう特に構成された、
項目４７に記載のユーザ機器。
（項目４９）
上記プロセッサはさらに、
上記時間リソース及び／又は上記周波数リソースに関する上記情報に従って、以下の複数の原則のうちの少なくとも１つを観察することでデータを送信するよう特に構成され、
上記以下の複数の原則とは、
上記時間リソース及び／又は上記周波数リソースに関する上記情報に従って上記ＵＥがアップリンクデータを送信する場合、上記時間リソース及び／又は上記周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である、及び／又は、
上記時間リソース及び／又は上記周波数リソースに関する上記情報に従って上記ＵＥがダウンリンクデータを受信する場合、上記時間リソース及び／又は上記周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又は上記ＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である、
項目３９に記載のユーザ機器。
（項目５０）
上記プロセッサはさらに、
上記少なくとも１つの通信インタフェースを用いて、上記基地局ｅＮＢにより送信された対応する物理ダウンリンク制御チャネルＰＤＣＣＨ信号を受信し、上記ＰＤＣＣＨ信号は、上記基地局ｅＮＢによる競合により取得された上記時間リソース及び／又は上記周波数リソースに関する上記情報を取得するよう上記ＵＥに命令するのに用いられ、
上記ＰＤＣＣＨ信号に従って対応する時間リソース及び／又は周波数リソースに関する情報を取得するよう特に構成される、
項目３９に記載のユーザ機器。
（項目５１）
上記プロセッサはさらに、
無認可セルにおいてＰＤＣＣＨチャネル上で待ち受ける時間パターンを決定し、
上記決定された時間パターンに従って、上記無認可セルにおいて上記基地局ｅＮＢにより送信されたＰＤＣＣＨ信号を待ち受けるよう特に構成され、
上記ＰＤＣＣＨ信号は、上記無認可スペクトルにおいて上記ｅＮＢによる競合により取得された上記時間リソース及び／又は上記周波数リソースに関する上記情報を含む、
項目３９に記載のユーザ機器。
（項目５２）
上記プロセッサはさらに、
システムにおいて予め設定された時間パターンパラメータ値に従って、上記無認可セルにおいて上記ＰＤＣＣＨ信号を待ち受ける時間を決定する、又は、
上記ｅＮＢにより送信された時間パターンパラメータ構成メッセージを、上記少なくとも１つの通信インタフェースを用いて受信するよう特に構成され、
上記時間パターン構成メッセージは、上記無認可セルにおいて上記ＰＤＣＣＨ信号を待ち受けるための、上記ｅＮＢにより上記ＵＥに割り当てられる時間パターンパラメータを含む、
項目５３に記載のユーザ機器。
（項目５３）
上記時間リソース及び／又は上記周波数リソースに関する上記情報は少なくとも、
上記ＵＥがアップリンク送信及び／又はダウンリンク送信を実行し得る時間リソース及び／又は周波数リソース、及び／又は、
上記時間リソース及び／又は上記周波数リソース上で上記ＵＥにより用いられる時分割複信ＴＤＤ構成に関する情報をさらに含む、
項目３９に記載のユーザ機器。
（項目５４）
上記時間リソース及び／又は上記周波数リソース上で上記ＵＥにより用いられる上記時分割複信ＴＤＤ構成に関する上記情報において、上記ＴＤＤ構成の開始フレーム及び／又は開始サブフレームの開始位置は、上記基地局ｅＮＢによる競合により取得された上記時間リソース及び／又は上記周波数リソースの開始位置から開始する、
項目５３に記載のユーザ機器。
（項目５５）
無認可スペクトルを用いて通信を実行するための方法であって、
基地局ｅＮＢにより、無認可スペクトルを用いる別のｅＮＢ又は別のシステムと競合することで、時間リソース及び／又は周波数リソースを取得する段階と、
上記基地局ｅＮＢにより、上記時間リソース及び／又は上記周波数リソースに従って、上記時間リソース及び／又は上記周波数リソースに関する情報を生成する段階と、
上記基地局ｅＮＢにより、上記時間リソース及び／又は上記周波数リソースに関する上記情報を、ブロードキャスト又はマルチキャスト・メッセージを用いてユーザ機器ＵＥに送信し、これにより、上記ユーザ機器ＵＥは、上記時間リソース及び／又は上記周波数リソースに関する上記情報に従って上記基地局ｅＮＢと通信する段階と、
を備える、
方法。
（項目５６）
上記基地局ｅＮＢにより、上記時間リソース及び／又は上記周波数リソースに従って、上記時間リソース及び／又は上記周波数リソースに関する情報を生成する上記段階の前に、
上記基地局ｅＮＢにより上記ユーザ機器ＵＥに、上記無認可スペクトルのリソース上で上記ｅＮＢによる競合により取得された上記時間リソース及び／又は上記周波数リソースを取得するためのパラメータを割り当てる段階をさらに備え、
上記パラメータは、少なくとも無認可スペクトルの無線ネットワーク一時識別子Ｕ−ＲＮＴＩを含み、上記Ｕ−ＲＮＴＩは、物理ダウンリンク制御チャネルＰＤＣＣＨを検出するのに用いられる、
項目５５に記載の方法。
（項目５７）
上記時間リソース及び／又は上記周波数リソースに関する上記情報は少なくとも、上記無認可スペクトルのリソース上の上記時間リソース及び／又は上記周波数リソースの上記パラメータを含む、
項目５５又は５６に記載の方法。
（項目５８）
上記時間リソース及び／又は上記周波数リソースに関する上記情報は少なくとも、
上記時間リソース及び／又は上記周波数リソースの開始時間及び終了時間、又は、
上記基地局による競合により取得された上記時間リソース及び／又は上記周波数リソースを含む、
項目５５に記載の方法。
（項目５９）
基地局ｅＮＢにより、無認可スペクトルを用いる別のｅＮＢ又は別のシステムと競合することで、時間リソース及び／又は周波数リソースを取得する上記段階は、
上記基地局ｅＮＢが競合により時間リソース及び／又は周波数リソースを取得しない場合、上記時間リソース及び／又は上記周波数リソースに関する上記情報を上記基地局ｅＮＢにより送信し、時間リソース及び／又は周波数リソースが競合により取得されないことを上記ＵＥに通知する段階をさらに有する、
項目５５に記載の方法。
（項目６０）
上記時間リソース及び／又は上記周波数リソースに関する上記情報は、
上記ＵＥがアップリンク送信及び／又はダウンリンク送信を実行し得る時間リソース及び／又は周波数リソース、及び／又は、
上記時間リソース及び／又は上記周波数リソース上で上記ＵＥにより用いられる時分割複信ＴＤＤ構成に関する情報をさらに含む、
項目５５又は５８に記載の方法。
（項目６１）
上記時間リソース及び／又は上記周波数リソース上で上記ＵＥにより用いられる上記時分割複信ＴＤＤ構成に関する上記情報において、上記ＴＤＤ構成の開始サブフレームの開始位置は、上記基地局ｅＮＢによる競合により取得された上記時間リソース及び／又は上記周波数リソースの開始位置から開始する、
項目６０に記載の方法。
（項目６２）
リソースの上記ブロードキャスト又はマルチキャスト・メッセージは、少なくとも無線リソース制御ＲＲＣメッセージ、媒体アクセス制御・制御素子ＭＡＣ−ＣＥメッセージ、又は物理ダウンリンク制御チャネルＰＤＣＣＨ信号である、
項目５５に記載の方法。
（項目６３）
上記基地局ｅＮＢにより、上記時間リソース及び／又は上記周波数リソースに関する上記情報を、ブロードキャスト又はマルチキャスト・メッセージを用いてユーザ機器ＵＥに送信する上記段階は、
上記無認可スペクトルの物理ダウンリンク制御チャネルＰＤＣＣＨ上の上記基地局ｅＮＢにより、上記無認可スペクトルを用いる上記ＵＥに、競合により取得された上記時間リソース及び／又は上記周波数リソースに関する上記情報を通知する段階、又は、
上記基地局ｅＮＢにより、競合により取得された上記時間リソース及び／又は上記周波数リソースに関する上記情報を、全てのユーザ機器ＵＥ又はユーザ機器ＵＥのグループに、物理ダウンリンク制御チャネルＰＤＣＣＨの共通探索空間ＣＳＳを用いて送信する段階、又は、
上記基地局ｅＮＢにより、競合により取得された上記時間リソース及び／又は上記周波数リソースに関する上記情報を少なくとも１つのユーザ機器ＵＥに、物理ダウンリンク制御チャネルＰＤＣＣＨのユーザ機器ＵＥ探索空間ＵＳＳを用いて送信する段階を有する、
項目５５に記載の方法。
（項目６４）
上記無認可スペクトルの物理ダウンリンク制御チャネルＰＤＣＣＨ上の上記基地局ｅＮＢにより上記ＵＥに、競合により取得された上記時間リソース及び／又は上記周波数リソースに関する上記情報を通知する上記段階の前に、時間パターン構成メッセージを上記ＵＥに送信する段階をさらに備え、
上記時間パターン構成メッセージは、無認可セルにおいてＰＤＣＣＨ信号を待ち受けるための、上記ｅＮＢにより上記ＵＥに割り当てられる時間パターンパラメータを含み、これにより、上記ＵＥは、上記時間パターンパラメータに従って、上記無認可セルにおいて上記基地局ｅＮＢにより送信されたＰＤＣＣＨ信号を待ち受ける時間パターンを決定する、
項目６３に記載の方法。
（項目６５）
リソースの上記ブロードキャスト又はマルチキャスト・メッセージは、競合により取得されたリソースの有効時間内で繰り返し送信される、
項目５５に記載の方法。
（項目６６）
無認可スペクトルを用いて通信を実行するための方法であって、
無認可スペクトルにおいて基地局ｅＮＢによる競合により取得された時間リソース及び／又は周波数リソースに関する、上記基地局により送信される情報をユーザ機器ＵＥにより受信する段階と、
上記時間リソース及び／又は上記周波数リソースに関する上記情報に従って、上記ＵＥにより上記基地局ｅＮＢと通信する段階と、
を備える、
方法。
（項目６７）
無認可スペクトルにおいて基地局ｅＮＢによる競合により取得された時間リソース及び／又は周波数リソースに関する、上記基地局により送信される情報をユーザ機器ＵＥにより受信する上記段階の前に、上記無認可スペクトルのリソース上で競合により取得される上記時間リソース及び／又は上記周波数リソースについての、上記基地局ｅＮＢにより割り当てられるパラメータを上記ＵＥにより受信する段階をさらに備え、
上記パラメータは、少なくとも無認可スペクトルの無線ネットワーク一時識別子Ｕ−ＲＮＴＩを含み、上記Ｕ−ＲＮＴＩは、物理ダウンリンク制御チャネルＰＤＣＣＨを検出するよう上記ＵＥに命令するのに用いられる、
項目６６に記載の方法。
（項目６８）
上記時間リソース及び／又は上記周波数リソースに関する上記情報は少なくとも、上記無認可スペクトルのリソース上の上記時間リソース及び／又は上記周波数リソースの上記パラメータを含む、
項目６６又は６７に記載の方法。
（項目６９）
上記時間リソース及び／又は上記周波数リソースに関する上記情報は少なくとも、
上記時間リソース及び／又は上記周波数リソースの開始時間及び終了時間、又は、
上記基地局による競合により取得された上記時間リソース及び／又は上記周波数リソースを含む、
項目６６に記載の方法。
（項目７０）
無認可スペクトルにおいて基地局ｅＮＢによる競合により取得された時間リソース及び／又は周波数リソースに関する、上記基地局により送信される情報をユーザ機器ＵＥにより受信する上記段階は、
上記基地局ｅＮＢが競合により時間リソース及び／又は周波数リソースを取得しない場合、上記時間リソース及び／又は上記周波数リソースに関する上記情報を上記ＵＥにより受信して、上記基地局ｅＮＢが競合により時間リソース及び／又は周波数リソースを取得しないことを認識する段階をさらに有する、
項目６６に記載の方法。
（項目７１）
上記時間リソース及び／又は上記周波数リソースに関する上記情報に従って、上記ＵＥにより上記基地局と通信する上記段階は、
上記時間リソース及び／又は上記周波数リソースに関する上記情報に従って、構成情報を上記ＵＥにより決定する段階をさらに備え、
上記ＵＥは少なくとも以下の動作を実行して、上記時間リソース及び／又は上記周波数リソースに関する上記情報に従って上記構成情報を決定し、
上記少なくとも以下の動作とは、
受信された物理ダウンリンク制御チャネルＰＤＣＣＨスケジューリング信号の開始時点に従って上記時間リソース及び／又は上記周波数リソースの有効時間を計算すること、又は、予め設定された時間に従って上記時間リソース及び／又は上記周波数リソースの有効時間を計算すること、及び／又は、
上記時間リソース及び／又は上記周波数リソースに従って、上記取得された時間リソース及び／又は周波数リソース上で主同期信号ＰＳＳ及び／又は副同期信号ＳＳＳを検出すること、及び／又は、
予め設定された間欠受信ＤＲＸパラメータ、並びに上記時間リソース及び／又は上記周波数リソースに関する受信された上記情報に従って、ＤＲＸ起動時間の長さを決定すること、及び／又は、
上記予め設定された間欠受信ＤＲＸパラメータ、並びに上記時間リソース及び／又は上記周波数リソースに関する受信された上記情報に従って、ＤＲＸに対応するタイマの動作を決定することである、
項目６６に記載の方法。
（項目７２）
上記予め設定された間欠受信ＤＲＸパラメータ、並びに上記時間リソース及び／又は上記周波数リソースに関する受信された上記情報に従って、ＤＲＸに対応するタイマの動作を決定する上記段階は、
上記時間リソース及び／又は上記周波数リソースに関する受信された上記情報内の上記時間リソース及び／又は上記周波数リソースの終了時間に達した場合、又は、上記予め設定された間欠受信ＤＲＸパラメータ、並びに上記時間リソース及び／又は上記周波数リソースに関する受信された上記情報に従って決定された上記ＤＲＸ起動時間が終了した場合、上記ＤＲＸに対応する少なくとも１つのタイマを上記ＵＥにより停止又は一時停止する段階を特に有し、
上記ＤＲＸに対応する上記タイマは、オンデュレーション・タイマ、ＤＲＸ起動時間タイマ、ＤＲＸ再送信タイマ、ＤＲＸ短周期タイマ、又はＤＲＸ長周期タイマのうちの少なくとも１つを含む、
項目７１に記載の方法。
（項目７３）
上記予め設定された間欠受信ＤＲＸパラメータ、並びに上記時間リソース及び／又は上記周波数リソースに関する受信された上記情報に従って、ＤＲＸに対応するタイマの動作を決定する上記段階は、
上記ＵＥが、競合により取得された新たな時間リソース及び／又は新たな周波数リソースに関する、上記ｅＮＢにより通知される情報を受信する場合、停止又は一時停止したＤＲＸ関連のタイマである上記オンデュレーション・タイマ、上記ＤＲＸ起動時間タイマ、上記ＤＲＸ再送信タイマ、上記ＤＲＸ短周期タイマ、又は上記ＤＲＸ長周期タイマのうちの少なくとも１つを、競合により取得された上記新たな時間リソース及び／又は上記新たな周波数リソースの開始時間位置において、又は予め設定された時間内に、又は上記予め設定された間欠受信ＤＲＸパラメータ、並びに上記時間リソース及び／又は上記周波数リソースに関する受信された上記情報に従って決定された上記ＤＲＸ起動時間の開始位置において、上記ＵＥにより開始又は再開する段階を特に有する、
項目７１又は７２に記載の方法。
（項目７４）
上記時間リソース及び／又は上記周波数リソースに従って、上記取得された時間リソース及び／又は周波数リソース上で主同期信号ＰＳＳ及び／又は副同期信号ＳＳＳを検出する上記段階は、
上記ＰＳＳ及び／又は上記ＳＳＳの送信タイミングの開始位置を、競合により取得された上記時間リソース及び／又は上記周波数リソースの開始位置から開始する段階を有する、
項目７１に記載の方法。
（項目７５）
上記ＰＳＳ及び／又は上記ＳＳＳの送信タイミングの開始位置を、競合により取得された上記時間リソース及び／又は上記周波数リソースの開始位置から開始する上記段階は、
競合により取得された上記時間リソース及び／又は上記周波数リソースの上記開始位置を、フレーム０及び／又はサブフレーム０として用いる段階、又は、
前回の競合により取得されたリソース上の最後のフレーム番号及び／又は最後のサブフレーム番号に続いて、競合により取得された上記時間リソース及び／又は上記周波数リソースの上記開始位置のフレーム番号及びサブフレーム番号をカウントする段階を有する、
項目７４に記載の方法。
（項目７６）
上記時間リソース及び／又は上記周波数リソースに関する上記情報に従って、上記ＵＥにより上記基地局と通信する上記段階は、上記時間リソース及び／又は上記周波数リソースに関する上記情報に従って、以下の複数の原則のうちの少なくとも１つを観察することで、上記ＵＥによりデータを送信する段階を有し、
上記以下の複数の原則とは、
上記時間リソース及び／又は上記周波数リソースに関する上記情報に従って上記ＵＥがアップリンクデータを送信する場合、上記時間リソース及び／又は上記周波数リソースに示された最後のＮ個のサブフレームにおいてアップリンクデータ送信に対応するハイブリッド自動再送要求受領通知ＨＡＲＱ−ＡＣＫは、認可スペクトルに対応するキャリア、又はアンカーキャリア、又はダウンリンク送信が実行され得る別の無認可スペクトルに対応するキャリア上で受信されるべきであり、「最後のＮ個のサブフレーム」のＮは正の整数である、及び／又は、
上記時間リソース及び／又は上記周波数リソースに関する上記情報に従って上記ＵＥがダウンリンクデータを受信する場合、上記時間リソース及び／又は上記周波数リソースに示された最後のＮ個のサブフレームにおいてダウンリンクデータ受信に対応するハイブリッド自動再送要求受領通知ＨＡＲＱ−ＡＣＫは、認可スペクトルに対応するキャリア、又はアンカーキャリア、又はアップリンク送信が実行され得る別の無認可スペクトルに対応するキャリア上で送信されるべきである、又は上記ＨＡＲＱ−ＡＣＫは、次回に競合により取得され、データ送信に用いられる時間リソース及び／又は周波数リソース上で、遅延した後に予め設定された時間内に受信され、「最後のＮ個のサブフレーム」のＮは正の整数である、
項目６６に記載の方法。
（項目７７）
無認可スペクトルにおいて基地局ｅＮＢによる競合により取得された時間リソース及び／又は周波数リソースに関する、上記基地局により送信される情報をユーザ機器ＵＥにより受信する上記段階は、
上記基地局ｅＮＢにより送信された対応する物理ダウンリンク制御チャネルＰＤＣＣＨ信号を受信する段階であって、上記ＰＤＣＣＨ信号は、上記基地局ｅＮＢによる競合により取得された上記時間リソース及び／又は上記周波数リソースに関する上記情報を取得するよう上記ＵＥに命令するのに用いられる、受信する段階と、
上記ＰＤＣＣＨ信号に従って、対応する時間リソース及び／又は周波数リソースに関する情報を取得する段階と、
をさらに有する、
項目６６に記載の方法。
（項目７８）
無認可スペクトルにおいて基地局ｅＮＢによる競合により取得された時間リソース及び／又は周波数リソースに関する、上記基地局により送信される情報をユーザ機器ＵＥにより受信する上記段階は、
無認可セルにおいてＰＤＣＣＨチャネル上で待ち受ける時間パターンを決定する段階と、
上記決定された時間パターンに従って、上記無認可セルにおいて上記基地局ｅＮＢにより送信されたＰＤＣＣＨ信号を待ち受ける段階であって、上記ＰＤＣＣＨ信号は、上記無認可スペクトルにおいて上記ｅＮＢによる競合により取得された上記時間リソース及び／又は上記周波数リソースに関する情報を含む、待ち受ける段階と、
をさらに有する、
項目６６に記載の方法。
（項目７９）
無認可セルにおいてＰＤＣＣＨチャネル上で待ち受ける時間パターンを決定する上記段階は、
システムにおいて予め設定された時間パターンパラメータ値に従って上記ＵＥにより、上記無認可セルにおいて上記ＰＤＣＣＨ信号を待ち受ける時間を決定する段階、又は、
上記ｅＮＢにより送信された時間パターンパラメータ構成メッセージを上記ＵＥにより受信する段階であって、上記時間パターン構成メッセージは、上記無認可セルにおいて上記ＰＤＣＣＨ信号を待ち受けるための、上記ｅＮＢにより上記ＵＥに割り当てられる時間パターンパラメータを含む、受信する段階と、
を有する、
項目７８に記載の方法。
（項目８０）
上記時間リソース及び／又は上記周波数リソースに関する上記情報は少なくとも、
上記ＵＥがアップリンク送信及び／又はダウンリンク送信を実行し得る時間リソース及び／又は周波数リソース、及び／又は、
上記時間リソース及び／又は上記周波数リソース上で上記ＵＥにより用いられる時分割複信ＴＤＤ構成に関する情報をさらに含む、
項目６６に記載の方法。
（項目８１）
上記時間リソース及び／又は上記周波数リソース上で上記ＵＥにより用いられる上記時分割複信ＴＤＤ構成に関する上記情報において、開始フレーム及び／又は開始サブフレームの開始位置は、上記基地局ｅＮＢによる競合により取得された上記時間リソース及び／又は上記周波数リソースの開始位置から開始する、
項目８０に記載の方法。
（項目８２）
基地局ｅＮＢ及び少なくとも１つのユーザ機器ＵＥを備える通信システムであって、
上記基地局ｅＮＢは、項目１から１１の何れか一項に記載の基地局ｅＮＢであり、且つ上記ユーザ機器ＵＥは、項目１２から２７の何れか一項に記載のユーザ機器ＵＥである、又は
上記基地局ｅＮＢは、項目２８から３８の何れか一項に記載の基地局ｅＮＢであり、且つ上記ユーザ機器ＵＥは、項目３９から５４の何れか一項に記載のユーザ機器ＵＥである、
通信システム。
【図１】
0006429207.tif 000002
【図２】
0006429207.tif 000003
【図３】
0006429207.tif 000004
【図４】
0006429207.tif 000005
【図５】
0006429207.tif 000006
【図６】
0006429207.tif 000007
【図７】
0006429207.tif 000008
【図８】
0006429207.tif 000009
【図９】
0006429207.tif 000010
【図１０】
0006429207.tif 000011